(57)【特許請求の範囲】
【請求項１】
許可されないキャリアに対してまず時間長さがＴ４のインターセプトを実行するステップと、
前記許可されないキャリアがアイドルであることをインターセプトした際に、また競争時間ウィンドウ内のロールバック操作によって、前記許可されないキャリアの使用権をプリエンプトし、前記競争時間ウィンドウ内のロールバック操作とは、指定された競争時間ウィンドウ内でランダムロールバック値を選択し、それから前記ロールバック値を０に逓減することを指すステップと、
許可されないキャリアの使用権を獲得した時刻と次のサブフレームの開始時刻に時間間隔があると、次のサブフレームの開始時刻になってからプリエンプトした前記許可されないキャリアリソースを使用して、データをスケジューリングする又は伝送し、前記時間間隔が１つのサブフレーム時間長さよりも短いステップと、を含むリソースプリエンプション方法。
【請求項２】
前記時間間隔内で前記許可されないキャリアを使用してチャンネル占用信号を送信し、前記チャンネル占用信号は、前記許可されないキャリアリソースを占用する時間情報、チャンネルを占用するためのBeacon信号、基準信号の少なくとも１種であるステップを更に含む請求項１に記載の方法。
【請求項３】
前記競争時間ウィンドウ内のロールバック操作によって、前記許可されないキャリアの使用権をプリエンプトすることは、
指定された競争時間ウィンドウ内でロールバックの時点を確定し、且つ確定したロールバック時点の前に、前記競争時間ウィンドウ内で前記許可されないキャリアをインターセプトすることと、
前記確定したロールバック時点に到達し、且つ前記競争時間ウィンドウ内で前記許可されないキャリアリソースがアイドルであることをインターセプトした際に、前記確定したロールバック時点で前記許可されないキャリアを使用して前記チャンネル占用信号を送信し始める請求項１又は２に記載の方法。
【請求項４】
前記競争時間ウィンドウの時間長さは１msを超えない請求項１又は２に記載の方法。
【請求項５】
前記競争時間ウィンドウの時間長さは、(１−Ｔ４)msであり、Ｔ４は、指定時間長さであり、Ｔ４の取る値範囲は０以上であり、且つ前記競争時間ウィンドウの時間長さよりも小さい請求項１又は２に記載の方法。
【請求項６】
前記指定された競争時間ウィンドウ内でロールバックの時点を確定することは、
前記競争時間ウィンドウをＮ部に分割して、且つ順次に０〜Ｎ−１に番号付け、
０〜Ｎ−１の間の数値Ｍをランダムに発生して、Ｍに対応する時点が確定したロールバック時点であることである請求項３に記載の方法。
【請求項７】
Ｔ４の時間長さは、１つのＯＦＤＭ符号、又は半分のＯＦＤＭ符号、又は２０μs以上である請求項６に記載の方法。
【請求項８】
前記Ｎ部における各部の時間長さは、前記競争時間ウィンドウ/３７msを超えなく、或いは前記競争時間ウィンドウ/１９msを超えなく、或いは前記競争時間ウィンドウ/７msを超えない請求項６に記載の方法。
【請求項９】
前記許可されないキャリアとペアになっている許可されたキャリアを使用して制御シグナリングを送信し、ＵＥデータの前記許可されないキャリアでの伝送をスケジューリングすることをさらに含む請求項１又は２に記載の方法。
【請求項１０】
第３インターセプトユニット、第４プリエンプションユニット、及び第８送信ユニットを備え、
前記第３インターセプトユニットは、許可されないキャリアに対して時間長さがＴ４のインターセプトを実行するように設定され、
前記第４プリエンプションユニットは、前記許可されないキャリアがアイドルであることをインターセプトした際に、競争時間ウィンドウ内のロールバック操作によって、前記許可されないキャリアの使用権をプリエンプトするように設定され、前記競争時間ウィンドウ内のロールバック操作とは、指定された競争時間ウィンドウ内でランダムロールバック値を選択し、それから前記ロールバック値を０に逓減することを指し、
前記第８送信ユニットは、許可されないキャリアの使用権を獲得した時刻と次のサブフレームの開始時刻に時間間隔があると、次のサブフレームの開始時刻になってからプリエンプトした前記許可されないキャリアリソースを使用して、データをスケジューリングする又は伝送し、前記時間間隔が１つのサブフレーム時間長さよりも短いように設定される、構成のサイト。
【請求項１１】
前記時間間隔内で前記許可されないキャリアを使用してチャンネル占用信号を送信し、前記チャンネル占用信号は、前記許可されないキャリアリソースを占用する時間情報、チャンネルを占用するためのBeacon信号、基準信号の少なくとも１種であるように設定される第７送信ユニットを更に備える請求項１０に記載のサイト。
【請求項１２】
前記第８送信ユニットは、さらに前記許可されないキャリアペアになっている許可されたキャリアを使用して、制御シグナリングを送信しＵＥデータをスケジューリングして前記許可されないキャリアにて伝送させるように設定される請求項１０又は１１に記載のサイト。
【発明の詳細な説明】
【技術分野】
【０００１】
本発明は無線通信分野に関し、特にリソースプリエンプション方法、サイト及びコンピュータ記憶媒体に関する。
【背景技術】
【０００２】
今まで、公知のように、長期的進化(ＬＴＥ、Long Term Evolution)システムは、許可されたキャリアに配置して運営する。しかし、ＬＴＥシステムの進化に伴って、最近、いくつかの会社(例えば米国クアルコム会社)が、ＬＴＥシステムを許可されないキャリアに配置する課題を研究することを提案する。しかし、今まで依然として、ＬＴＥの関連組織には承認されておらず、且つプロジェクトが立てられていない。
【０００３】
米国クアルコム会社が示したプロジェクトを立てる理由は主に、データサビースの高速増加に伴って、近い将来に、許可されたスペクトルはこのような巨大なデータ量に耐えることができないため、許可されないスペクトルリソースにＬＴＥを配置することを考えて、許可されないスペクトルによって許可されたキャリアにおけるデータフローを分担することを提案することである。
【０００４】
ＬＴＥシステムは許可されないキャリアで運営すると、各国の許可されないキャリアの管理政策に準拠して、ＬＴＥシステムは、許可されないキャリアを使用する際にまずインターセプトを実行する必要があり、許可されないキャリアがアイドルであることをインターセプトした際だけに、ＬＴＥシステムを使用することができる。このため、ＬＴＥシステムに対して如何に合理的なインターセプトメカニズムを設計して、ＬＴＥシステムに最適な許可されないキャリアをインターセプトする効率やプリエンプトする効率を備えさせるかが、現在解決する必要がある問題である。
【発明の概要】
【発明が解決しようとする課題】
【０００５】
従来存在している技術的課題を解決するために、本発明の実施例は、リソースプリエンプション方法、サイト及びコンピュータ記憶媒体を提供する。
【課題を解決するための手段】
【０００６】
本発明の実施例は、リソースプリエンプション方法を提供し、
競争時間ウィンドウ内のロールバック操作によって、許可されないキャリアリソースの使用権をプリエンプトするステップ、及び
前記競争時間ウィンドウ内のロールバック操作が成功した際に、時間長さがＴ１のインターセプトを実行して、前記許可されないキャリアリソースがアイドルであることをインターセプトした際に、前記許可されないキャリアリソースの使用権プリエンプションが成功であることを確定するステップを含む。
【０００７】
本発明の実施例は、リソースプリエンプション方法を更に提供し、
競争時間ウィンドウ内のロールバック操作によって、許可されないキャリアリソースの使用権をプリエンプトするステップ、及び
前記競争時間ウィンドウ内のロールバック操作が成功であり、且つロールバック操作過程において選択したロールバック時点と前記許可されないキャリアリソース使用終了時点との時間間隔がＴ２以上であることを確定した際に、前記許可されないキャリアリソースの使用権プリエンプションが成功であることを確定するステップを含む。
【０００８】
本発明の実施例は、リソースプリエンプション方法を更に提供し、
競争時間ウィンドウ内のロールバック操作によって、許可されないキャリアリソースの使用権をプリエンプトするステップを含み、
前記競争時間ウィンドウ内のロールバック操作によって、前記許可されないキャリアリソースの使用権をプリエンプトする過程において、前記方法は、
選択したロールバック時点と前記許可されないキャリアリソース使用終了時点との時間間隔がＴ３以上であることを確定した際に、ロールバック操作を実行して、前記許可されないキャリアリソースの使用権をプリエンプトするようにする。
【０００９】
本発明の実施例は、リソースプリエンプション方法を更に提供し、
許可されないキャリアリソースに対して時間長さがＴ４のインターセプトを実行するステップ、
前記許可されないキャリアリソースがアイドルであることをインターセプトした際に、競争時間ウィンドウ内のロールバック操作によって、前記許可されないキャリアリソースの使用権をプリエンプトするステップ、及び
前記競争時間ウィンドウ内で前記許可されないキャリアリソースの使用権をプリエンプトすることに成功した際に、前記許可されないキャリアリソースを使用してチャンネル占用信号を送信するステップを含む。
【００１０】
本発明の実施例は、リソースプリエンプション方法を更に提供し、
許可されないキャリアリソースに対して時間長さがＴ５のインターセプトを実行するステップ、及び前記許可されないキャリアリソースがアイドルであることをインターセプトした際に、直接、競争時間ウィンドウ内のロールバック操作によって、前記許可されないキャリアリソースの使用権をプリエンプトするステップを含む。
【００１１】
本発明の実施例は、サイトを更に提供し、第１プリエンプションユニット、第１インターセプトユニット、及び第１確定ユニットを備え、
前記第１プリエンプションユニットは、競争時間ウィンドウ内のロールバック操作によって、許可されないキャリアリソースの使用権をプリエンプトするように設定され、
前記第１インターセプトユニットは、前記競争時間ウィンドウ内のロールバック操作が成功である際に、時間長さがＴ１のインターセプトを実行するように設定され、
前記第１確定ユニットは、前記許可されないキャリアリソースがアイドルであることをインターセプトした際に、前記許可されないキャリアリソースの使用権プリエンプションが成功であることを確定するように設定される。
【００１２】
本発明の実施例は、サイトを更に提供し、第２プリエンプションユニット及び第２確定ユニットを備え、
前記第２プリエンプションユニットは、競争時間ウィンドウ内のロールバック操作によって、許可されないキャリアリソースの使用権をプリエンプトするように設定され、
前記第２確定ユニットは、前記競争時間ウィンドウ内のロールバック操作が成功であり、且つロールバック操作過程において選択したロールバック時点と前記許可されないキャリアリソース使用終了時点との時間間隔がＴ２以上であることを確定した際に、前記許可されないキャリアリソースの使用権プリエンプションが成功であることを確定するように設定される。
【００１３】
本発明の実施例は、サイトを更に提供し、第３プリエンプションユニット及び第３確定ユニットを備え、
前記第３プリエンプションユニットは、競争時間ウィンドウ内のロールバック操作によって、許可されないキャリアリソースの使用権をプリエンプトするように設定され、
前記第３確定ユニットは、前記競争時間ウィンドウ内のロールバック操作によって、前記許可されないキャリアリソースの使用権をプリエンプトする過程において、選択したロールバック時点と前記許可されないキャリアリソース使用終了時点との時間間隔がＴ３以上であることを確定した際に、前記第３プリエンプションユニットをトリガーしてロールバック操作を引き続き実行し、前記許可されないキャリアリソースの使用権をプリエンプトするように設定される。
【００１４】
本発明の実施例は、サイトを更に提供し、第３インターセプトユニット、第４プリエンプションユニット、及び第７送信ユニットを備え、
前記第３インターセプトユニットは、許可されないキャリアリソースに対して時間長さがＴ４のインターセプトを実行するように設定され、 
前記第４プリエンプションユニットは、前記許可されないキャリアリソースがアイドルであることをインターセプトした際に、競争時間ウィンドウ内のロールバック操作によって、前記許可されないキャリアリソースの使用権をプリエンプトするように設定され、
前記第７送信ユニットは、前記競争時間ウィンドウ内で前記許可されないキャリアリソースの使用権をプリエンプトすることに成功した際に、前記許可されないキャリアリソースを使用してチャンネル占用信号を送信するように設定される。
【００１５】
本発明の実施例は、サイトを更に提供し、第４確定ユニット及び第５プリエンプションユニットを備え、
前記第４確定ユニットは、許可されないキャリアリソースに対して時間長さがＴ５のインターセプトを実行し、前記許可されないキャリアリソースがアイドルであることをインターセプトした際に、前記第５プリエンプションユニットをトリガーするように設定され、
前記第５プリエンプションユニットは、前記第４確定ユニットのトリガーを受信した後に、直接、競争時間ウィンドウ内のロールバック操作によって、前記許可されないキャリアリソースの使用権をプリエンプトするように設定される。
【００１６】
本発明の実施例は、コンピュータ記憶媒体を更に提供し、前記コンピュータ記憶媒体は一連の指令を含み、前記指令を実行する際に、少なくとも１つのプロセッサが上記のリソースプリエンプション方法を実行することを引き起こす。
【発明の効果】
【００１７】
本発明の実施例によるリソースプリエンプション方法、サイト及びコンピュータ記憶媒体は、許可されないキャリアリソースを使用するサイトの、許可されないキャリアリソースの使用が終了する際に、ロールバック操作によって、前記許可されないキャリアリソースの使用権をプリエンプトし、このように、許可されないキャリアリソースを効率よくプリエンプトすることができる。
【図面の簡単な説明】
【００１８】
図面(必ずしも縮尺通りに描かれてはいない)において、類似する符号は、異なる図で類似する部材を説明したものである。異なるレターサフィックスの類似する符号は、類似する部材の異なる例示を表したものである。図面は限定ではなく、例示的に本文で検討した各実施例を基本的に示す。
【図１】図１は、本発明の実施例一のリソースプリエンプション方法を示すフローチャートである。
【図２】図２は、本発明の実施例二のリソースプリエンプション方法を示すフローチャートである。
【図３】図３は、本発明の実施例三のリソースプリエンプション方法を示すフローチャートである。
【図４】図４は、本発明の実施例四のリソースプリエンプション方法を示すフローチャートである。
【図５】図５は、本発明の実施例六のフレーム構造模式図である。
【図６】図６は、本発明の実施例七のフレーム構造模式図である。
【図７】図７は、本発明の実施例八のフレーム構造模式図である。
【図８】図８は、本発明の実施例九のフレーム構造模式図である。
【図９】図９は、本発明の実施例十のフレーム構造模式図である。
【図１０】図１０は、本発明の実施例十一のフレーム構造模式図である。
【図１１】図１１は、本発明の実施例十二のフレーム構造模式図である。
【図１２】図１２は、本発明の実施例十三のフレーム構造模式図である。
【図１３】図１３は、本発明の実施例十四のフレーム構造模式図である。
【図１４】図１４は、本発明の実施例の第１種類サイトを示す構造模式図である。
【図１５】図１５は、本発明の実施例の第２種類サイトを示す構造模式図である。
【図１６】図１６は、本発明の実施例の第３種類サイトを示す構造模式図である。
【図１７】図１７は、本発明の実施例の第４種類サイトを示す構造模式図である。
【図１８】図１８は、本発明の実施例の第５種類サイトを示す構造模式図。
【発明を実施するための形態】
【００１９】
本発明の内容をよりよく理解するために、本発明ではまず、許可されないスペクトルリソースの基本的な特徴を説明する。
【００２０】
許可されないスペクトルリソースについては、数多くの利点が存在し、主な表現は以下の通りである。
【００２１】
１．無料/低コスト。具体的に、許可されないスペクトルリソースを購買する必要がないため、スペクトルリソースのコストが零である。
【００２２】
２．アドミタンス要求が低く、コストが低い。具体的に、個人、企業はいずれも配置に参加することができ、機器メーカーの機器は任意の機器であってもよい。
【００２３】
３．リソースシェア。具体的に、複数の異なるシステムがいずれも同じ許可されないスペクトルリソースで運営する、或いは同一のシステムの異なるオペレーターが同じ許可されないスペクトルリソースで運営する際に、いくつかのリソースシェアの方式を考えることができ、このように、スペクトルリソースの効率を向上させることができる。 
【００２４】
４．無線アクセス技術が多い。具体的に、異なる通信標準を跨ぐことができ、ネットワークトポロジーが多様である。
【００２５】
５．無線アクセスサイトが多い。
【００２６】
６．アプリケーションが多い。具体的に、数多くのサビースは、非スペクトルリソースで運営することができる。例えば、マシンツーマシン(Ｍ２Ｍ、Machine to Machine)、車両ツー車両(Ｖ２Ｖ、Vehicle to Vehicle)サビース等。
【００２７】
上記の許可されないスペクトルリソースの基本的な特徴は、許可されないスペクトルリソースの利用可能性が、無線通信システムの１つの重要な進化方向を決めることである。
【００２８】
ＬＴＥシステムは、許可されないキャリアで運営する際に、各国家の許可されないキャリアの管理政策に基づき、ＬＴＥシステムは、許可されないキャリアを使用する際に、まずインターセプトを実行する必要があり、許可されないキャリアがアイドルであることをインターセプトした際だけに、ＬＴＥシステムを使用することができる。このため、ＬＴＥシステムに対して如何に合理的なインターセプトメカニズムを設計して、ＬＴＥシステムに許可されないキャリアを最適にインターセプト及びプリエンプトする効率を備えさせるかが、現在解決しようとする課題である。
【００２９】
これに基づいて、本発明の各実施例において、許可されないキャリアリソースを使用するサイトが、前記許可されないキャリアリソースの使用を終了する際に、全てのサイトが、競争時間ウィンドウ内のロールバック操作によって、前記許可されないキャリアリソースの使用権をプリエンプトする。つまり、サイトは、競争時間ウィンドウ内のロールバック操作によって、許可されないキャリアの使用権をプリエンプトする。本発明は、具体的な実施例によって、如何にして許可されないキャリアをプリエンプトする具体的な過程を詳しく提供し、前記許可されないキャリアリソースの使用権プリエンプションが成功であることを確定するまでである。
【００３０】
且つ前記許可されないキャリアリソースのプリエンプトが成功した後に、プリエンプトしたサイトの前記許可されないキャリアリソースにおけるデータ送信についての実施例を例示し、次のサブフレームが開始してから、プリエンプトした前記許可されないキャリアリソースを使用して、データをスケジューリングする。
【００３１】
実施例一
本実施例のリソースプリエンプション方法は、図１に示すように、以下のステップを含む。
【００３２】
ステップ１０１： 許可されないキャリアリソースを使用するサイトが、前記許可されないキャリアリソースへの使用が終了する際に、競争時間ウィンドウ内のロールバック操作によって、前記許可されないキャリアリソースの使用権をプリエンプトする。
【００３３】
具体的に、前記許可されないキャリアリソースをプリエンプトする必要があるサイトが、前記許可されないキャリアリソースを使用するサイトが前記許可されないキャリアリソースに対する使用状況を知って、且つ前記許可されないキャリアリソースを使用するサイトが、前記許可されないキャリアリソースの使用を終了する際に、前記許可されないキャリアリソースをプリエンプトする必要があるサイトは、競争時間ウィンドウ内のロールバック操作によって、前記許可されないキャリアリソースの使用権をプリエンプトする。前記許可されないキャリアリソースをプリエンプトする必要があるサイトは、受信した前記許可されないキャリアリソースを使用するサイトが送信したサイト時間情報に基づき、前記許可されないキャリアリソースを使用するサイトが前記許可されないキャリアリソースを使用する終了時間点を確定することができる。前記許可されないキャリアリソースをリアルタイムに傍受する方式を利用してもよく、例えば、前記許可されないキャリアリソースをプリエンプトする必要があるサイトは、前記許可されないキャリアリソースがアイドルであるか否かをリアルタイムにインターセプトし、アイドルであることを発見すると、前記許可されないキャリアリソースをプリエンプトする必要があるサイトは、前記許可されないキャリアリソースを使用するサイトが前記許可されないキャリアリソースの使用を終了することを確定する。
【００３４】
実際に応用する際に、前記許可されないキャリアリソースをプリエンプトする必要があるサイトは、前記許可されないキャリアリソースをリアルタイムに傍受する方式によって、前記許可されないキャリアリソースを使用するサイトが前記許可されないキャリアリソースの使用を終了するか否かを確定する際に、本ステップの具体的な実現では、
前記許可されないキャリアリソースがアイドルであるか否かをリアルタイムに傍受し、アイドルであることを発見する際に、前記許可されないキャリアリソースをプリエンプトする必要があるサイトは、競争時間ウィンドウ内のロールバック操作によって、前記許可されないキャリアリソースの使用権をプリエンプトする。
【００３５】
前記競争時間ウィンドウ内のロールバック操作によって、前記許可されないキャリアリソースの使用権をプリエンプトすることは、具体的に、
前記許可されないキャリアリソースをプリエンプトする必要があるサイトが、指定された競争時間ウィンドウ内でロールバックの時点を確定し(ランダムロールバック値を選択する)、且つ確定したロールバック時点(前記ロールバック値が０に逓減する)の前に、前記競争時間ウィンドウ内で前記許可されないキャリアリソースをインターセプトすること、及び
前記確定したロールバック時点に到達(前記ロールバック値が０に逓減する)し、且つ前記競争時間ウィンドウ内で前記許可されないキャリアリソースがアイドルであることをインターセプトした際に、前記確定したロールバック時点で前記許可されないキャリアリソースを使用してチャンネル占用信号を送信し始め、この時、前記許可されないキャリアリソースをプリエンプトする必要があるサイトが、前記許可されないキャリアリソースをプリエンプトしたことを表すことを含む。
【００３６】
前記競争時間ウィンドウ内での直交周波数分割多重(ＯＦＤＭ、Orthogonal Frequency Division Multiplexing)符号には、ショートサイクリックプレフィックス(ＣＰ、Cyclic Prefix)を使用する。
【００３７】
前記競争時間ウィンドウの時間長さは１msを超えなく、(１−Ｔ１)msであってもよく、Ｔ１は指定時間長さであり、Ｔ１の取る値範囲は０以上であり、且つ前記競争時間ウィンドウの時間長さより小さい。実際に応用する際に、Ｔ１の取る値は、サイトが完全にデータを一回解析するのに必要な時間に基づき確定することができ(即ち、サイトが現在のデータパケットを処理する消耗時間)、帯域幅の異なりによって、サイトの処理消耗時間に影響を及ぼすため、異なる所定の帯域幅に対して異なる取る値を定義することができる。
【００３８】
前記確定したロールバック時点に到達し、且つ前記競争時間ウィンドウ内で前記許可されないキャリアリソースがアイドルであることをインターセプトした際に、前記許可されないキャリアリソースをプリエンプトする必要があるサイトが、前記許可されないキャリアリソースをプリエンプトしたことを表し、前記確定したロールバック時点に到達し、且つ前記許可されないキャリアリソースがビジーであることをインターセプトした際に、前記許可されないキャリアリソースをプリエンプトする必要があるサイトが、前記許可されないキャリアリソースへのプリエンプションが失敗であることを表し、後続の操作を停止する。
【００３９】
ここで、前記許可されないキャリアリソースがビジーであることをインターセプトしたこととは、前記許可されないキャリアリソースをプリエンプトする必要があるサイトが、前記許可されないキャリアリソースにおける信号を受信して、信号を解析することによって、前記許可されないキャリアの中でその他のサイトが送信した信号があることを知り、或いは、前記許可されないキャリアリソースにおける信号を受信して、エネルギー検出によって、前記許可されないキャリアリソースのエネルギーが所定のエネルギー閾値を超えることを確定することである。
【００４０】
対応的に、前記許可されないキャリアリソースがアイドルであることをインターセプトしたこととは、前記許可されないキャリアリソースをプリエンプトする必要があるサイトが、前記許可されないキャリアリソースにおける信号を受信して、信号を解析することによって、前記許可されないキャリアの中でその他のサイトが送信する信号がないことを知り、或いは、前記許可されないキャリアリソースにおける信号を受信して、エネルギー検出によって、前記許可されないキャリアリソースのエネルギーが所定のエネルギー閾値を超えないことを確定することである。
【００４１】
前記指定された競争時間ウィンドウ内でロールバックの時点を確定することは、具体的に、
前記競争時間ウィンドウをＮ部に分割して、且つ順次に０〜Ｎ−１に番号付け、 
０〜Ｎ−１の間の数値Ｍをランダムに発生して、Ｍに対応する時点が確定したロールバック時点であることである。
【００４２】
前記０〜Ｎ−１の間の数値Ｍをランダムに発生することは、０〜１の間の数値をランダムに生成することを含み、次に０〜Ｎ−１の間の数値Ｍにマッピングする。
【００４３】
ここで、前記Ｎ部における各部の時間長さは、１つのＯＦＤＭ符号又は半分のＯＦＤＭ符号、又は１/４個のＯＦＤＭ符号の時間長さであってもよい。
【００４４】
単一のオペレーターが該地理位置で、ＬＴＥシステムを、許可されないキャリアに配置する状況のみを考える際に、セルラーセル配置の特点(特徴)に基づき、隣接する又は間隔を置いたセルの間の干渉状況を選択して、以下の前記Ｎ部における各部時間長さを確定する方式を挙げることができる。
【００４５】
一実施例において、前記各部の時間長さは、前記競争時間ウィンドウ/３７msを超えなく、(１−Ｔ１)/３７msであってもよい。
【００４６】
一実施例において、前記各部の時間長さは、前記競争時間ウィンドウ/１９msを超えなく、(１−Ｔ１) /１９msであってもよい。
【００４７】
一実施例において、前記各部の時間長さは、前記競争時間ウィンドウ/７msを超えなく、(１−Ｔ１)/７msであってもよい。
【００４８】
複数のオペレーターが同時に該地理位置で、ＬＴＥシステムを、許可されないキャリアに配置する状況を考える際に、セルラーセル配置の特点に基づき、且つサポートしたオペレーター数を考えて、隣接する又は間隔を置いたセルの間の干渉状況を選択し、例えば２つのオペレーターをサポートする際に、それぞれ対応する各部時間長さは、以下の通りである。
【００４９】
一実施例において、前記各部の時間長さは、前記競争時間ウィンドウ/(３７＊２)msを超えなく、(１−Ｔ１)/(３７＊２)msであってもよい。
【００５０】
一実施例において、前記各部の時間長さは、前記競争時間ウィンドウ/(１９＊２)msを超えなく、(１−Ｔ１)/(１９＊２)msであってもよい。
【００５１】
一実施例において、前記各部の時間長さは、前記競争時間ウィンドウ/(７＊２)msを超えなく、(１−Ｔ１)/(７＊２) msであってもよい。
【００５２】
一実施例において、異なる許可されないキャリアリソースのシステム帯域幅に基づき前記各部の時間長さを設定することができ、具体的に、前記各部の時間長さをＫとし、許可されないキャリアリソースのシステム帯域幅が２０Ｍである際に、Ｋの最小の取り得る値は９μsであり、許可されないキャリアのシステム帯域幅が１０Ｍである際に、Ｋの最小の取り得る値は１３μsであり、許可されないキャリアのシステム帯域幅が５Ｍである際に、Ｋの最小の取り得る値は２１μsである。
【００５３】
前記チャンネル占用信号は、前記許可されないキャリアリソースを占用する時間情報、チャンネルを占用するためのビーコン(Beacon)信号、基準信号等の少なくとも１種であってもよい。ここで、前記基準信号は、同期目的用の基準信号、測定目的用の基準信号等であってもよい。
【００５４】
ステップ１０２： 前記競争時間ウィンドウ内のロールバック操作が成功である際に、時間長さがＴ１のインターセプトを実行し、前記許可されないキャリアリソースがアイドルであることをインターセプトした際に、前記許可されないキャリアリソースの使用権プリエンプションが成功であることを確定する。
【００５５】
ここで、前記ロールバック操作が成功であることとは、ランダムに発生したロールバック値が０に逓減することである。
【００５６】
時間長さがＴ１のインターセプトを実行して、前記許可されないキャリアリソースがアイドルであることをインターセプトし、且つ次のサブフレームが来る前に、該方法は、
次のサブフレームの開始時刻まで、前記許可されないキャリアリソースを使用してチャンネル占用信号を送信するステップを更に含んでもよい。
【００５７】
Ｔ１の時間長さは、１つのＯＦＤＭ符号、半分のＯＦＤＭ符号、又は２０μs以上であってもよい。
【００５８】
前記許可されないキャリアリソースをプリエンプトする必要があるサイトは、前記許可されないキャリアリソースに対して時間長さがＴ１のインターセプトを行い、且つインターセプト結果が、前記許可されないキャリアリソースがアイドルである際に、前記許可されないキャリアリソースの使用権プリエンプションが成功であることを確定し、インターセプト結果が、前記許可されないキャリアリソースの一部又は全部がビジーである際に、前記許可されないキャリアリソースの使用権プリエンプションが失敗であることを確定し、前記許可されないキャリアリソースにチャンネル占用信号の送信を停止し、且つ前記許可されないキャリアリソースがその他のサイト(主システムを含む)によって使用されると認められ、このような方式を採用して、ロールバック操作の競争時間ウィンドウと、その他のサイトが許可されないキャリアへの使用の終了時間点との間は、連続である。インターセプトの時間長さＴ１は、ロールバック操作の後に設定され、この時、前記許可されないキャリアリソースを競争し勝ち取ったサイトだけはインターセプトを実行し、インターセプトを実行するサイトの数を大幅に減少して、インターセプトに参加しないサイトは、許可されたキャリアリソースをよりよく使用してデータスケジューリングを行わせる。この時のインターセプトは、主に主システムが前記許可されないキャリアリソースを使用するか否かを発見することに用いられ、主システムは、優先度が比較的高いシステム、例えば軍用レーダーシステムである。
【００５９】
該方法は、
前記許可されないキャリアリソースをプリエンプトする必要があるサイトは、前記許可されないキャリアリソースの使用権プリエンプションが成功であることを確定し、且つ次のサブフレームが開始してから、プリエンプトした前記許可されないキャリアリソースを使用して、データをスケジューリングする又は伝送するステップを更に含んでもよい。
【００６０】
ここで、前記許可されないキャリアリソースをプリエンプトする必要があるサイトが、前記許可されないキャリアリソースを占用する時間開始点は、前記次のサブフレームの開始点である。
【００６１】
前記許可されないキャリアリソースをプリエンプトする必要があるサイトは、前記許可されないキャリアリソースの使用権プリエンプションが成功であることを確定し、且つ次のサブフレームが開始してから、ＵＥデータをスケジューリングするように、プリエンプトした前記許可されないキャリアリソースを使用して制御シグナリングを送信し、或いは前記許可されないキャリアリソースとペアになっている許可されたキャリアリソースを使用して制御シグナリングを送信し、ＵＥデータをスケジューリングし、前記許可されないキャリアリソースに伝送する。
【００６２】
前記許可されないキャリアリソースの使用権プリエンプションが成功であることを確定し、且つ次のサブフレームが開始してから、前記許可されないキャリアリソースをプリエンプトする必要があるサイトは、ＵＥデータをスケジューリングするように、プリエンプトした前記許可されないキャリアリソースを使用して制御シグナリングを送信することを許可する。これは、ＬＴＥシステムが、１つの同期システムであり、即ち、統一的な、サブフレームを揃える時間起点が必要であり、つまり、ＬＴＥシステムのスケジューリングは、サブフレームを単位とするため、前記許可されないキャリアリソースをプリエンプトする必要があるサイトは、前記許可されないキャリアへのプリエンプションが成功し、且つ依然として次のサブフレームに到達しない際に、前記許可されないキャリアリソースをプリエンプトする必要があるサイトはＵＥデータをスケジューリングすることができないためである。しかし、前記許可されないキャリアリソースをプリエンプトする必要があるサイトは、いくつかの信号、例えば許可されないキャリアを占用する時間情報、チャンネルを占用するbeacon信号、及び様々な基準信号等を送信することができ、これらの信号を送信する作用は主に、その他のシステム(例えばＷＩＦＩシステム)が、前記許可されないキャリアリソースがビジーであることをインターセプトすることにより、これらのシステムは、前記許可されないキャリアリソースをプリエンプトする必要があるサイトによって、プリエンプトされた前記許可されないキャリアリソースを占用することを防止する。前記許可されないキャリアリソースをプリエンプトする必要があるサイトに、その他のシステムが存在しなく、例えばＬＴＥ-Ｕ(ＬＴＥが許可されないキャリアに運営することをＬＴＥ-Ｕと呼ぶ)システムだけがあると、前記許可されないキャリアリソースをプリエンプトする必要があるサイトは、前記許可されないキャリアリソースのプリエンプションが成功した後に、次のサブフレームの開始時刻までの時間帯内でチャンネル占用信号を送信しないことができる。これは、ＬＴＥ-Ｕシステムの間にこのような約束を採用することができるためであり、その他のサイトは、リソースプリエンプションが失敗であると認めると、次のサブフレーム時刻まで該周波数で示した許可されないリソースをプリエンプトしないが、前記許可されないキャリアリソースをプリエンプトする必要があるサイトは、送信した信号を受信することができる(前記許可されないキャリアリソースをプリエンプトする必要があるサイトが、チャンネル占用信号を送信すれば)。
【００６３】
前記制御シグナリングは、ダウンリンク制御情報(ＤＣＩ、Downlink Control Information) であってもよいし、ＤＣＩを使用して、その他のサイトに前記許可されないキャリアリソースを占用する時間情報を通知してもよい。必要な基準信号も、前記次のサブフレームから送信し始める。
【００６４】
本実施例に記載のサイトは、基地局等であってもよく、許可されないキャリアを使用する機器を指す。
【００６５】
本発明の実施例によるリソースプリエンプション方法は、許可されないキャリアリソースを使用するサイトが、前記許可されないキャリアリソースの使用を終了する際に、競争時間ウィンドウ内のロールバック操作によって、前記許可されないキャリアリソースの使用権をプリエンプトし、前記競争時間ウィンドウ内のロールバック操作が成功である際に、時間長さがＴ１であるインターセプトを実行し、前記許可されないキャリアリソースがアイドルであることをインターセプトした際に、前記許可されないキャリアリソースの使用権プリエンプションが成功であることを確定する。本発明の実施例によるフレーム構造は、搬送波感知多重アクセスのフレーム構造であり、本発明の実施例による手段は、搬送波感知多重アクセスのメカニズムの手段であり、本発明の実施例によるフレーム構造及び対応する方法を利用して、許可されないキャリアリソースを効率よくプリエンプトすることができる。
【００６６】
本発明の実施例のリソースプリエンプション方法は、ＬＴＥシステムの許可されないキャリアリソースへの競争をより有効にさせる。
【００６７】
また、本発明の実施例のリソースプリエンプション方法は、更にＷＩＦＩシステムに適用できる。
【００６８】
実施例二
本実施例のリソースプリエンプション方法は、図２に示すように、以下のステップを含む。
【００６９】
ステップ２０１： 許可されないキャリアリソースの使用が終了することを確定した際に、競争時間ウィンドウ内のロールバック操作によって前記許可されないキャリアリソースの使用権をプリエンプトする。
【００７０】
具体的に、前記許可されないキャリアリソースをプリエンプトする必要があるサイトは、前記許可されないキャリアリソースを使用するサイトが前記許可されないキャリアリソースに対する使用状況を知り、且つ前記許可されないキャリアリソースを使用するサイトが前記許可されないキャリアリソースの使用を終了する際に、前記許可されないキャリアリソースをプリエンプトする必要があるサイトは、競争時間ウィンドウ内のロールバック操作によって、前記許可されないキャリアリソースの使用権をプリエンプトする。前記許可されないキャリアリソースをプリエンプトする必要があるサイトは、受信した前記許可されないキャリアリソースを使用するサイトが送信したサイト時間情報に基づき、前記許可されないキャリアリソースを使用するサイトが前記許可されないキャリアリソースを使用する終了時間点を確定することができる。前記許可されないキャリアリソースをリアルタイムに傍受する方式を利用してもよく、例えば、前記許可されないキャリアリソースをプリエンプトする必要があるサイトは、前記許可されないキャリアリソースがアイドルであるか否かをリアルタイムにインターセプトし、アイドルであることを発見すると、前記許可されないキャリアリソースをプリエンプトする必要があるサイトは、前記許可されないキャリアリソースを使用するサイトが前記許可されないキャリアリソースの使用を終了することを確定する。
【００７１】
実際に応用する際に、前記許可されないキャリアリソースをプリエンプトする必要があるサイトは、前記許可されないキャリアリソースをリアルタイムに傍受する方式によって、前記許可されないキャリアリソースを使用するサイトが前記許可されないキャリアリソースの使用を終了するか否かを確定する際に、本ステップの具体的な実現は以下の通りであり、
前記許可されないキャリアリソースがアイドルであるか否かをリアルタイムに傍受することによって、アイドルであることを発見する際に、前記許可されないキャリアリソースをプリエンプトする必要があるサイトは、競争時間ウィンドウ内のロールバック操作によって、前記許可されないキャリアリソースの使用権をプリエンプトする。
【００７２】
前記競争時間ウィンドウ内のロールバック操作によって、前記許可されないキャリアリソースの使用権をプリエンプトすることは、具体的に、
前記許可されないキャリアリソースをプリエンプトする必要があるサイトは、指定された競争時間ウィンドウ内でロールバックの時点を確定し(ランダムロールバック値を選択する)、且つ確定したロールバック時点(前記ロールバック値が０に逓減する)の前に、前記競争時間ウィンドウ内で前記許可されないキャリアリソースをインターセプトすること、及び
前記確定したロールバック時点に到達し(前記ロールバック値が０に逓減する)、且つ前記競争時間ウィンドウ内で前記許可されないキャリアリソースがアイドルであることをインターセプトした際に、前記確定したロールバック時点で前記許可されないキャリアリソースを使用してチャンネル占用信号を送信し始め、この時、前記許可されないキャリアリソースをプリエンプトする必要があるサイトが、前記許可されないキャリアリソースをプリエンプトしたことを表すことを含む。
【００７３】
前記競争時間ウィンドウ内のＯＦＤＭ符号には、ショートＣＰを使用する。
【００７４】
前記競争時間ウィンドウの時間長さは、１msを超えなく、(１−Ｔ２)msであってもよく、Ｔ２は、指定時間長さであり、Ｔ２の取る値範囲は０以上であり、且つ前記競争時間ウィンドウの時間長さよりも小さい。実際に応用する際に、Ｔ２の取り得る値は、サイトが完全にデータを一回解析するのに必要な時間に基づき確定することができ(即ち、サイトが現在のデータパケットを処理する消耗時間)、帯域幅の異なりによって、サイトの処理消耗時間に影響を及ぼすため、異なる所定の帯域幅に対して異なる取る値を定義することができる。
【００７５】
前記確定したロールバック時点に到達し、且つ前記競争時間ウィンドウ内で前記許可されないキャリアリソースがアイドルであることをインターセプトした際に、前記許可されないキャリアリソースをプリエンプトする必要があるサイトが、前記許可されないキャリアリソースをプリエンプトしたことを表し、即ち、ロールバック操作が成功し、前記確定したロールバック時点に到達し、且つ前記許可されないキャリアリソースがビジーであることをインターセプトした際に、前記許可されないキャリアリソースをプリエンプトする必要があるサイトが、前記許可されないキャリアリソースへのプリエンプションが失敗であることを表し、即ちロールバック操作が失敗し、後続の操作を停止する。
【００７６】
ここで、前記許可されないキャリアリソースがビジーであることをインターセプトしたこととは、前記許可されないキャリアリソースをプリエンプトする必要があるサイトが、前記許可されないキャリアリソースにおける信号を受信して、信号を解析することによって、前記許可されないキャリアの中でその他のサイトが送信した信号があることを知り、或いは、前記許可されないキャリアリソースにおける信号を受信して、エネルギー検出によって、前記許可されないキャリアリソースのエネルギーが所定のエネルギー閾値を超えることを確定することである。
【００７７】
対応的に、前記許可されないキャリアリソースがアイドルであることをインターセプトしたこととは、前記許可されないキャリアリソースをプリエンプトする必要があるサイトが、前記許可されないキャリアリソースにおける信号を受信して、信号を解析することによって、前記許可されないキャリアの中でその他のサイトが送信する信号がないことを知り、或いは、前記許可されないキャリアリソースにおける信号を受信して、エネルギー検出によって、前記許可されないキャリアリソースのエネルギーが所定のエネルギー閾値を超えないことを確定することである。
【００７８】
前記指定された競争時間ウィンドウ内でロールバックの時点を確定することは、具体的に、
前記競争時間ウィンドウをＮ部に分割して、且つ順次に０〜Ｎ−１に番号付け、
０〜Ｎ−１の間の数値Ｍをランダムに発生して、Ｍに対応する時点が確定したロールバック時点であることである。
【００７９】
前記０〜Ｎ−１の間の数値Ｍをランダムに発生することは、０〜１の間の数値をランダムに生成することを含み、次に０〜Ｎ−１の間の数値Ｍにマッピングする。
【００８０】
ここで、前記Ｎ部における各部の時間長さは、１つのＯＦＤＭ符号又は半分のＯＦＤＭ符号、又は１/４個のＯＦＤＭ符号の時間長さであってもよい。
【００８１】
単一のオペレーターが該地理位置でＬＴＥシステムを許可されないキャリアに配置する状況のみを考える際に、セルラーセル配置の特点(特徴)に基づき、隣接する又は間隔を置いたセルの間の干渉状況を選択して、以下の前記Ｎ部における各部時間長さを確定する方式を挙げることができる。
【００８２】
一実施例において、前記各部の時間長さは、前記競争時間ウィンドウ/３７msを超えなく、(１−Ｔ２)/３７msであってもよい。
【００８３】
一実施例において、前記各部の時間長さは、前記競争時間ウィンドウ/１９msを超えなく、(１−Ｔ２)/１９msであってもよい。
【００８４】
一実施例において、前記各部の時間長さは、前記競争時間ウィンドウ/７msを超えなく、(１−Ｔ２)/７msであってもよい。
【００８５】
複数のオペレーターが同時に該地理位置でＬＴＥシステムを許可されないキャリアに配置する状況を考える際に、セルラーセル配置の特点に基づき、且つサポートしたオペレーター数を考えて、隣接する又は間隔を置いたセルの間の干渉状況を選択し、例えば２つのオペレーターをサポートする際に、それぞれ対応する各部時間長さは、以下の通りである。
【００８６】
一実施例において、前記各部の時間長さは、前記競争時間ウィンドウ/(３７＊２)msを超えなく、(１−Ｔ２)/(３７＊２)msであってもよい。
【００８７】
一実施例において、前記各部の時間長さは、前記競争時間ウィンドウ/(１９＊２)msを超えなく、(１−Ｔ２)/(１９＊２)msであってもよい。
【００８８】
一実施例において、前記各部の時間長さは、前記競争時間ウィンドウ/(７＊２)msを超えなく、(１−Ｔ２)/(７＊２)msであってもよい。 
【００８９】
一実施例において、異なる許可されないキャリアリソースのシステム帯域幅に基づき前記各部の時間長さを設定することができ、具体的に、前記各部の時間長さをＫとし、許可されないキャリアリソースのシステム帯域幅が２０Ｍである際に、Ｋの最小の取り得る値は９μsであり、許可されないキャリアのシステム帯域幅が１０Ｍである際に、Ｋの最小の取り得る値は１３μsであり、許可されないキャリアのシステム帯域幅が５Ｍである際に、Ｋの最小の取り得る値は２１μsである。
【００９０】
前記チャンネル占用信号は、前記許可されないキャリアリソースを占用する時間情報、チャンネルを占用するためのBeacon信号、基準信号等の少なくとも１種であってもよい。ここで、前記基準信号は、同期目的用の基準信号、測定目的用の基準信号等であってもよい。
【００９１】
ステップ２０２： 前記競争時間ウィンドウ内のロールバック操作が成功であり、且つロールバック操作過程において選択したロールバック時点と前記許可されないキャリアリソース使用終了時点との時間間隔がＴ２以上であることを確定した際に、前記許可されないキャリアリソースの使用権プリエンプションが成功であることを確定する。
【００９２】
ここで、前記ロールバック操作が成功であることとは、ランダムに発生したロールバック値が０に逓減することである。
【００９３】
前記許可されないキャリアリソースの使用終了時点とは、その他の前記許可されないキャリアリソースを使用するサイトが、前記許可されないキャリアリソースの使用を終了する際の時点を指す。
【００９４】
一実施例において、ＬＴＥシステムにおいて、前記ロールバック操作過程において選択したロールバック時点と、前記許可されないキャリアリソースの使用終了時点との時間間隔は、ロールバック操作過程において選択したロールバック時点と前の一つのサブフレームとの時間間隔であってもよい。
【００９５】
前記競争時間ウィンドウ内のロールバック操作が成功した後に、前記許可されないキャリアリソースをプリエンプトする必要があるサイトは、ロールバック操作過程において選択したロールバック時点と前記許可されないキャリアリソースの使用終了時点との時間間隔がＴ２以上であるか否かを判断し、Ｔ２以上であることを確定した際に、前記許可されないキャリアリソースの使用権のプリエンプションが成功であると考え、Ｔ２よりも小さいことを確定した際に、時間長さがＴ２であるインターセプトを実行し、前記許可されないキャリアリソースがアイドルであることをインターセプトした際に、前記許可されないキャリアリソースの使用権のプリエンプションが成功であると認め、前記許可されたキャリアリソースがビジーであることをインターセプトした際に、前記許可されないキャリアリソースの使用権のプリエンプションが失敗であると認め、前記許可されないキャリアリソースがアイドルであることをインターセプトし、且つ時間長さがＴ２のインターセプトを実行し終わった時間点が依然として次のサブフレームの開始時刻に到達しない際に、次のサブフレームの開始時刻まで、前記許可されないキャリアリソースを使用して前記チャンネル占用信号を送信する。
【００９６】
前記許可されないキャリアリソースをプリエンプトする必要があるサイトは、前記許可されないキャリアリソースに対して時間長さがＴ２であるインターセプトを行い、且つインターセプト結果が、前記許可されないキャリアリソースがアイドルである際に、前記許可されないキャリアリソースの使用権プリエンプションが成功であることを確定し、インターセプト結果が、前記許可されないキャリアリソースの一部又は全部がビジーである際に、前記許可されないキャリアリソースの使用権プリエンプションが失敗であることを確定し、前記許可されないキャリアリソースにチャンネル占用信号の送信を停止し、且つ前記許可されないキャリアリソースがその他のサイト(主システムを含む)によって使用されると認められ、このような方式を採用して、ロールバック操作の競争時間ウィンドウと、その他のサイトが許可されないキャリアへの使用の終了時間点との間は、連続である。インターセプトの時間長さＴ２は、ロールバック操作の後に設定され、この時、前記許可されないキャリアリソースを競争し勝ち取ったサイトだけはインターセプトを実行し、インターセプトを実行するサイトの数を大幅に減少して、インターセプトに参加しないサイトは、許可されたキャリアリソースをよりよく使用してデータスケジューリングを行わせる。この時のインターセプトは、主に主システムが前記許可されないキャリアリソースを使用するか否かを発見することに用いられ、主システムは優先度が比較的高いシステム、例えば軍用レーダーシステムである。
【００９７】
Ｔ２の時間長さは、１つのＯＦＤＭ符号、半分のＯＦＤＭ符号、又は２０μs以上である。
【００９８】
該方法は、
前記許可されないキャリアリソースをプリエンプトする必要があるサイトは、前記許可されないキャリアリソースの使用権プリエンプションが成功であることを確定し、且つ次のサブフレームが開始してから、プリエンプトした前記許可されないキャリアリソースを使用して、データをスケジューリングするステップを更に含んでもよい。
【００９９】
ここで、前記許可されないキャリアリソースをプリエンプトする必要があるサイトが、前記許可されないキャリアリソースを占用する時間開始点は、前記次のサブフレームの開始点である。
【０１００】
前記許可されないキャリアリソースをプリエンプトする必要があるサイトは、前記許可されないキャリアリソースの使用権プリエンプションが成功であることを確定し、且つ次のサブフレームが開始してから、ＵＥデータをスケジューリングするように、プリエンプトした前記許可されないキャリアリソースを使用して制御シグナリングを送信し、或いは前記許可されないキャリアリソースとペアになっている許可されたキャリアリソースを使用して制御シグナリングを送信し、ＵＥデータをスケジューリングし、前記許可されないキャリアリソースに伝送する。
【０１０１】
前記許可されないキャリアリソースの使用権プリエンプションが成功であることを確定し、且つ次のサブフレームが開始してから、前記許可されないキャリアリソースをプリエンプトする必要があるサイトは、ＵＥデータをスケジューリングするように、プリエンプトした前記許可されないキャリアリソースを使用して制御シグナリングを送信することを許可する。これは、ＬＴＥシステムが、１つの同期システムであり、即ち、統一的な、サブフレームを揃える時間起点が必要であり、つまり、ＬＴＥシステムのスケジューリングは、サブフレームを単位とするため、前記許可されないキャリアリソースをプリエンプトする必要があるサイトは、前記許可されないキャリアへのプリエンプションが成功し、且つ依然として次のサブフレームに到達しない際に、前記許可されないキャリアリソースをプリエンプトする必要があるサイトはＵＥデータをスケジューリングすることができないためである。しかし、前記許可されないキャリアリソースをプリエンプトする必要があるサイトは、いくつかの信号、例えば許可されないキャリアを占用する時間情報、チャンネルを占用するbeacon信号、及び様々な基準信号等を送信することができ、これらの信号を送信する作用は主に、その他のシステム(例えばＷＩＦＩシステム)が、前記許可されないキャリアリソースがビジーであることをインターセプトすることにより、これらのシステムは、前記許可されないキャリアリソースをプリエンプトする必要があるサイトによって、プリエンプトされた前記許可されないキャリアリソースを占用することを防止する。前記許可されないキャリアリソースをプリエンプトする必要があるサイトにその他のシステムが存在しなく、例えばＬＴＥ-Ｕ(ＬＴＥが許可されないキャリアに運営することをＬＴＥ-Ｕと呼ぶ)システムだけがあると、前記許可されないキャリアリソースをプリエンプトする必要があるサイトは、前記許可されないキャリアリソースのプリエンプションが成功した後に、次のサブフレームの開始時刻までの時間帯内でチャンネル占用信号を送信しないことができる。これは、ＬＴＥ-Ｕシステムの間にこのような約束を採用することができるためであり、その他のサイトは、リソースプリエンプションが失敗であると認めると、次のサブフレーム時刻まで該周波数で示した許可されないリソースをプリエンプトしないが、前記許可されないキャリアリソースをプリエンプトする必要があるサイトは、送信した信号を受信することができる(前記許可されないキャリアリソースをプリエンプトする必要があるサイトが、チャンネル占用信号を送信すれば)。
【０１０２】
前記制御シグナリングは、ＤＣＩであってもよいし、ＤＣＩを使用して、その他のサイトに前記許可されないキャリアリソースを占用する時間情報を通知してもよい。必要な基準信号も、前記次のサブフレームから送信し始める。
【０１０３】
本実施例に記載のサイトは、基地局等であってもよく、許可されないキャリアを使用する機器を指す。
【０１０４】
本発明の実施例によるリソースプリエンプション方法は、許可されないキャリアリソースを使用するサイトが、前記許可されないキャリアリソースの使用を終了する際に、競争時間ウィンドウ内のロールバック操作によって、前記許可されないキャリアリソースの使用権をプリエンプトし、前記競争時間ウィンドウ内のロールバック操作が成功であり、且つロールバック操作過程において選択したロールバック時点と前記許可されないキャリアリソース使用終了時点との時間間隔がＴ２以上であることを確定した際に、前記許可されないキャリアリソースの使用権プリエンプションが成功であることを確定する。本発明の実施例によるフレーム構造は、搬送波感知多重アクセスのフレーム構造であり、本発明の実施例による手段は、搬送波感知多重アクセスのメカニズムの手段であり、本発明の実施例によるフレーム構造及び対応する方法を利用して、許可されないキャリアリソースを効率よくプリエンプトすることができる。
【０１０５】
本発明の実施例のリソースプリエンプション方法は、ＬＴＥシステムの許可されないキャリアリソースへの競争をより有効にさせる。
【０１０６】
また、本発明の実施例のリソースプリエンプション方法は、更にＷＩＦＩシステムに適用できる。
【０１０７】
実施例三
本実施例のリソースプリエンプション方法は、図３に示すように、以下のステップを含む。
【０１０８】
ステップ３０１： 許可されないキャリアリソースの使用が終了することを確定した際に、競争時間ウィンドウ内のロールバック操作によって前記許可されないキャリアリソースの使用権をプリエンプトする。
【０１０９】
具体的に、前記許可されないキャリアリソースをプリエンプトする必要があるサイトは、前記許可されないキャリアリソースを使用するサイトが前記許可されないキャリアリソースに対する使用状況を知り、且つ前記許可されないキャリアリソースを使用するサイトが、前記許可されないキャリアリソースの使用を終了する際に、前記許可されないキャリアリソースをプリエンプトする必要があるサイトは、競争時間ウィンドウ内のロールバック操作によって、前記許可されないキャリアリソースの使用権をプリエンプトする。前記許可されないキャリアリソースをプリエンプトする必要があるサイトは、受信した前記許可されないキャリアリソースを使用するサイトが送信したサイト時間情報に基づき、前記許可されないキャリアリソースを使用するサイトが前記許可されないキャリアリソースを使用する終了時間点を確定することができる。前記許可されないキャリアリソースをリアルタイムに傍受する方式を利用してもよく、例えば、前記許可されないキャリアリソースをプリエンプトする必要があるサイトは、前記許可されないキャリアリソースがアイドルであるか否かをリアルタイムにインターセプトし、アイドルであることを発見すると、前記許可されないキャリアリソースをプリエンプトする必要があるサイトは、前記許可されないキャリアリソースを使用するサイトが前記許可されないキャリアリソースの使用を終了することを確定する。
【０１１０】
実際に応用する際に、前記許可されないキャリアリソースをプリエンプトする必要があるサイトは、前記許可されないキャリアリソースをリアルタイムに傍受する方式によって、前記許可されないキャリアリソースを使用するサイトが前記許可されないキャリアリソースの使用を終了するか否かを確定する際に、本ステップの具体的な実現は以下の通りであり、
前記許可されないキャリアリソースがアイドルであるか否かをリアルタイムに傍受することによって、アイドルであることを発見する際に、前記許可されないキャリアリソースをプリエンプトする必要があるサイトは、競争時間ウィンドウ内のロールバック操作によって、前記許可されないキャリアリソースの使用権をプリエンプトする。
【０１１１】
前記競争時間ウィンドウ内のロールバック操作によって、前記許可されないキャリアリソースの使用権をプリエンプトすることは、具体的に、
前記許可されないキャリアリソースをプリエンプトする必要があるサイトは、指定された競争時間ウィンドウ内でロールバックの時点を確定し(ランダムロールバック値を選択する)、且つ確定したロールバック時点(前記ロールバック値が０に逓減する)の前に、前記競争時間ウィンドウ内で前記許可されないキャリアリソースをインターセプトすること、及び
前記確定したロールバック時点に到達し(前記ロールバック値が０に逓減する)、且つ前記競争時間ウィンドウ内で前記許可されないキャリアリソースがアイドルであることをインターセプトした際に、前記確定したロールバック時点で前記許可されないキャリアリソースを使用してチャンネル占用信号を送信し始め、この時、前記許可されないキャリアリソースをプリエンプトする必要があるサイトが、前記許可されないキャリアリソースをプリエンプトしたことを表すことを含む。
【０１１２】
前記競争時間ウィンドウ内のＯＦＤＭ符号には、ショートＣＰを使用する。
【０１１３】
前記競争時間ウィンドウの時間長さは、１msを超えなく、(１−Ｔ３)msであってもよく、Ｔ３は、指定時間長さであり、Ｔ３の取る値範囲は０以上であり、且つ前記競争時間ウィンドウの時間長さよりも小さい。実際に応用する際に、Ｔ３の取り得る値は、サイトが完全にデータを一回解析するのに必要な時間に基づき確定することができ(即ち、サイトが現在のデータパケットを処理する消耗時間)、帯域幅の異なりによって、サイトの処理消耗時間に影響を及ぼすため、異なる所定の帯域幅に対して異なる取る値を定義することができる。
【０１１４】
前記確定したロールバック時点に到達し、且つ前記競争時間ウィンドウ内で前記許可されないキャリアリソースがアイドルであることをインターセプトした際に、前記許可されないキャリアリソースをプリエンプトする必要があるサイトが、前記許可されないキャリアリソースをプリエンプトしたことを表し、前記確定したロールバック時点に到達し、且つ前記許可されないキャリアリソースがビジーであることをインターセプトした際に、前記許可されないキャリアリソースをプリエンプトする必要があるサイトが、前記許可されないキャリアリソースへのプリエンプションが失敗であることを表し、後続の操作を停止する。 
【０１１５】
ここで、前記許可されないキャリアリソースがビジーであることをインターセプトしたこととは、前記許可されないキャリアリソースをプリエンプトする必要があるサイトが、前記許可されないキャリアリソースにおける信号を受信して、信号を解析することによって、前記許可されないキャリアの中でその他のサイトが送信した信号があることを知り、或いは、前記許可されないキャリアリソースにおける信号を受信して、エネルギー検出によって、前記許可されないキャリアリソースのエネルギーが所定のエネルギー閾値を超えることを確定することである。
【０１１６】
対応的に、前記許可されないキャリアリソースがアイドルであることをインターセプトしたこととは、前記許可されないキャリアリソースをプリエンプトする必要があるサイトが、前記許可されないキャリアリソースにおける信号を受信して、信号を解析することによって、前記許可されないキャリアの中でその他のサイトが送信する信号がないことを知り、或いは、前記許可されないキャリアリソースにおける信号を受信して、エネルギー検出によって、前記許可されないキャリアリソースのエネルギーが所定のエネルギー閾値を超えないことを確定する。
【０１１７】
前記指定された競争時間ウィンドウ内でロールバックの時点を確定することは、具体的に、
前記競争時間ウィンドウをＮ部に分割して、且つ順次に０〜Ｎ−１に番号付け、
０〜Ｎ−１の間の数値Ｍをランダムに発生して、Ｍに対応する時点が確定したロールバック時点であることである。
【０１１８】
前記０〜Ｎ−１の間の数値Ｍをランダムに発生することは、０〜１の間の数値をランダムに生成することを含み、次に０〜Ｎ−１の間の数値Ｍにマッピングする。
【０１１９】
ここで、前記Ｎ部における各部の時間長さは、１つのＯＦＤＭ符号又は半分のＯＦＤＭ符号、又は１/４個のＯＦＤＭ符号の時間長さであってもよい。
【０１２０】
単一のオペレーターが該地理位置でＬＴＥシステムを許可されないキャリアに配置する状況のみを考える際に、セルラーセル配置の特点(特徴)に基づき、隣接する又は間隔を置いたセルの間の干渉状況を選択して、以下の前記Ｎ部における各部時間長さを確定する方式を挙げることができる。
【０１２１】
一実施例において、前記各部の時間長さは、前記競争時間ウィンドウ/３７msを超えなく、(１−Ｔ３)/３７msであってもよい。
【０１２２】
一実施例において、前記各部の時間長さは、前記競争時間ウィンドウ/１９msを超えなく、(１−Ｔ３)/１９msであってもよい。
【０１２３】
一実施例において、前記各部の時間長さは、前記競争時間ウィンドウ/７msを超えなく、(１−Ｔ３)/７msであってもよい。
【０１２４】
複数のオペレーターが同時に該地理位置でＬＴＥシステムを許可されないキャリアに配置する状況を考える際に、セルラーセル配置の特点に基づき、且つサポートしたオペレーター数を考えて、隣接する又は間隔を置いたセルの間の干渉状況を選択し、例えば２つのオペレーターをサポートする際に、それぞれ対応する各部時間長さは、以下の通りである。
【０１２５】
一実施例において、前記各部の時間長さは、前記競争時間ウィンドウ/(３７＊２)msを超えなく、(１−Ｔ３)/(３７＊２)msであってもよい。
【０１２６】
一実施例において、前記各部の時間長さは、前記競争時間ウィンドウ/(１９＊２)msを超えなく、(１−Ｔ３)/(１９＊２)msであってもよい。
【０１２７】
一実施例において、前記各部の時間長さは、前記競争時間ウィンドウ/(７＊２)msを超えなく、(１−Ｔ３)/(７＊２)msであってもよい。
【０１２８】
一実施例において、異なる許可されないキャリアリソースのシステム帯域幅に基づき前記各部の時間長さを設定することができ、具体的に、前記各部の時間長さをＫとし、許可されないキャリアリソースのシステム帯域幅が２０Ｍである際に、Ｋの最小の取り得る値は９μsであり、許可されないキャリアのシステム帯域幅は１０Ｍである際に、Ｋの最小の取り得る値は１３μsであり、許可されないキャリアのシステム帯域幅が５Ｍである際に、Ｋの最小の取り得る値は２１μsである。
【０１２９】
前記チャンネル占用信号は、前記許可されないキャリアリソースを占用する時間情報、チャンネルを占用するためのBeacon信号、基準信号等の少なくとも１種であってもよい。ここで、前記基準信号は、同期目的用の基準信号、測定目的用の基準信号等であってもよい。
【０１３０】
ステップ３０２： 前記競争時間ウィンドウ内のロールバック操作によって、前記許可されないキャリアリソースの使用権をプリエンプトする過程において、選択したロールバック時点と前記許可されないキャリアリソース使用終了との時間間隔がＴ３以上であることを確定した際に、ロールバック操作を実行して、前記許可されないキャリアリソースの使用権をプリエンプトするようにする。
【０１３１】
ここで、前記選択したロールバック時点と前記許可されないキャリアリソース使用終了との時間間隔がＴ３よりも小さいことを確定した際に、前記許可されないキャリアリソースをプリエンプトする必要があるサイトは、Ｔ３を前記選択したロールバック時点として、ロールバック操作を実行し続け、或いは、ロールバック操作を停止して、前記許可されないキャリアリソースをプリエンプトする使用権のプリエンプションが失敗であることを認める。
【０１３２】
ロールバック操作が成功であることとは、ランダムに発生したロールバック値が０に逓減することである。
【０１３３】
実際に応用する際に、前記選択したロールバック時点と前記競争時間ウィンドウの開始時刻との間隔がＴ３よりも小さいことを確定した際に、前記許可されないキャリアリソースをプリエンプトする必要があるサイトを設定し、次回で、許可されないキャリアリソースを競争し勝ち取る確率を大幅に向上させ、即ち、前記許可されないキャリアリソースをプリエンプトする必要があるサイトが許可されないキャリアリソースをプリエンプトする確率を、その他のサイトよりも高いように設定し、例えば、前記許可されないキャリアリソースをプリエンプトする必要があるサイトの、次回で競争する競争時間ウィンドウを小さく設定することができ (ただし時間長さＴ３よりも大きい)、更に設定によって、前記許可されないキャリアリソースをプリエンプトする必要があるサイトが選択するロールバック時点を、Ｔ３時刻の直後に隣接し、或いは、
前記許可されないキャリアリソースをプリエンプトする必要があるサイトは、選択したロールバック時点をＴ３時刻後の第１の時点に調整して、且つロールバック操作によって、前記許可されないキャリアリソースを改めてプリエンプトする。
【０１３４】
Ｔ３の時間長さは、１つのＯＦＤＭ符号、半分のＯＦＤＭ符号、又は２０μs以上である。
【０１３５】
ロールバック操作によって、前記許可されないキャリアリソースの使用権のプリエンプションが成功した後に、且つ次のサブフレームが来る前に、該方法は、
次のサブフレームの開始時刻まで、前記許可されないキャリアリソースを使用して、前記チャンネル占用信号を送信するステップを更に含んでもよい。
【０１３６】
該方法は、
前記許可されないキャリアリソースの使用権プリエンプションが成功であることを確定し、且つ次のサブフレームが開始してから、プリエンプトした前記許可されないキャリアリソースを使用して、データをスケジューリングするステップを更に含んでもよい。
【０１３７】
ここで、前記許可されないキャリアリソースをプリエンプトする必要があるサイトが、前記許可されないキャリアリソースを占用する時間開始点は、前記次のサブフレームの開始点である。
【０１３８】
前記許可されないキャリアリソースをプリエンプトする必要があるサイトは、前記許可されないキャリアリソースの使用権プリエンプションが成功であることを確定し、且つ次のサブフレームが開始してから、ＵＥデータをスケジューリングするように、プリエンプトした前記許可されないキャリアリソースを使用して制御シグナリングを送信し、或いは前記許可されないキャリアリソースとペアになっている許可されたキャリアリソースを使用して制御シグナリングを送信し、ＵＥデータをスケジューリングし、前記許可されないキャリアリソースに伝送する。
【０１３９】
前記許可されないキャリアリソースの使用権プリエンプションが成功であることを確定し、且つ次のサブフレームが開始してから、前記許可されないキャリアリソースをプリエンプトする必要があるサイトは、ＵＥデータをスケジューリングするように、プリエンプトした前記許可されないキャリアリソースを使用して制御シグナリングを送信することを許可する。これは、ＬＴＥシステムが、１つの同期システムであり、即ち、統一的な、サブフレームを揃える時間起点が必要であり、つまり、ＬＴＥシステムのスケジューリングは、サブフレームを単位とするため、前記許可されないキャリアリソースをプリエンプトする必要があるサイトは、前記許可されないキャリアへのプリエンプションが成功し、且つ依然として次のサブフレームに到達しない際に、前記許可されないキャリアリソースをプリエンプトする必要があるサイトはＵＥデータをスケジューリングすることができないためである。しかし、前記許可されないキャリアリソースをプリエンプトする必要があるサイトは、いくつかの信号、例えば許可されないキャリアを占用する時間情報、チャンネルを占用するbeacon信号、及び様々な基準信号等を送信することができ、これらの信号を送信する作用は主に、その他のシステム(例えばＷＩＦＩシステム)が、前記許可されないキャリアリソースがビジーであることをインターセプトすることにより、これらのシステムは、前記許可されないキャリアリソースをプリエンプトする必要があるサイトによって、プリエンプトされた前記許可されないキャリアリソースを占用することを防止する。前記許可されないキャリアリソースをプリエンプトする必要があるサイトにその他のシステムが存在しなく、例えばＬＴＥ-Ｕ(ＬＴＥが許可されないキャリアに運営することをＬＴＥ-Ｕと呼ぶ)システムだけがあると、前記許可されないキャリアリソースをプリエンプトする必要があるサイトは、前記許可されないキャリアリソースのプリエンプションが成功した後に、次のサブフレームの開始時刻までの時間帯内でチャンネル占用信号を送信しないことができる。これは、ＬＴＥ-Ｕシステムの間にこのような約束を採用することができるためであり、その他のサイトは、リソースプリエンプションが失敗であると認めると、次のサブフレーム時刻まで該周波数で示した許可されないリソースをプリエンプトしないが、前記許可されないキャリアリソースをプリエンプトする必要があるサイトは、送信した信号を受信することができる(前記許可されないキャリアリソースをプリエンプトする必要があるサイトが、チャンネル占用信号を送信すれば)。
【０１４０】
前記制御シグナリングは、ＤＣＩであってもよいし、ＤＣＩを使用して、その他のサイトに前記許可されないキャリアリソースを占用する時間情報を通知してもよい。必要な基準信号も、前記次のサブフレームから送信し始める。
【０１４１】
本実施例に記載のサイトは、基地局等であってもよく、許可されないキャリアを使用する機器を指す。 
【０１４２】
本発明の実施例によるリソースプリエンプション方法は、許可されないキャリアリソースの使用が終了することを確定した際に、競争時間ウィンドウ内のロールバック操作によって、前記許可されないキャリアリソースの使用権をプリエンプトし、前記競争時間ウィンドウ内のロールバック操作によって、前記許可されないキャリアリソースの使用権をプリエンプトする過程において、選択したロールバック時点と前記許可されないキャリアリソース使用終了との時間間隔がＴ３以上であることを確定した際に、ロールバック操作を実行して、前記許可されないキャリアリソースの使用権をプリエンプトするようにする。本発明の実施例によるフレーム構造は、搬送波感知多重アクセスのフレーム構造であり、本発明の実施例による手段は、搬送波感知多重アクセスのメカニズムの手段であり、本発明の実施例によるフレーム構造及び対応する方法を利用して、許可されないキャリアリソースを効率よくプリエンプトすることができる。
【０１４３】
本発明の実施例のリソースプリエンプション方法は、ＬＴＥシステムの許可されないキャリアリソースへの競争をより有効にさせる。
【０１４４】
また、本発明の実施例のリソースプリエンプション方法は、更にＷＩＦＩシステムに適用できる。
【０１４５】
実施例四
本実施例のリソースプリエンプション方法は、図４に示すように、以下のステップを含む。
【０１４６】
ステップ４０１： 許可されないキャリアリソースの使用が終了することを確定した際に、前記許可されないキャリアリソースに対して時間長さがＴ４のインターセプトを実行する。
【０１４７】
具体的に、前記許可されないキャリアリソースをプリエンプトする必要があるサイトは、前記許可されないキャリアリソースを使用するサイトが前記許可されないキャリアリソースに対する使用状況を知り、且つ前記許可されないキャリアリソースを使用するサイトが前記許可されないキャリアリソースの使用を終了する際に、前記許可されないキャリアリソースに対して時間長さがＴ４のインターセプトを実行する。
【０１４８】
前記許可されないキャリアリソースをプリエンプトする必要があるサイトは、受信した前記許可されないキャリアリソースを使用するサイトが送信したサイト時間情報に基づき、前記許可されないキャリアリソースを使用するサイトが前記許可されないキャリアリソースを使用する終了時間点を確定することができる。前記許可されないキャリアリソースをリアルタイムに傍受する方式を利用してもよく、例えば前記許可されないキャリアリソースをプリエンプトする必要があるサイトは、前記許可されないキャリアリソースがアイドルであるか否かをリアルタイムにインターセプトし、アイドルであることを発見すると、前記許可されないキャリアリソースをプリエンプトする必要があるサイトは、前記許可されないキャリアリソースを使用するサイトが前記許可されないキャリアリソースの使用を終了することを確定する。
【０１４９】
ここで、実際に応用する際に、前記許可されないキャリアリソースをプリエンプトする必要があるサイトは、前記許可されないキャリアリソースをリアルタイムに傍受する方式によって、前記許可されないキャリアリソースを使用するサイトが前記許可されないキャリアリソースの使用を終了するか否かを確定する際に、本ステップの具体的な実現は以下の通りである。
【０１５０】
前記許可されないキャリアリソースがアイドルであるか否かをリアルタイムに傍受することによって、アイドルであることを発見する際に、前記許可されないキャリアリソースをプリエンプトする必要があるサイトは、前記許可されないキャリアリソースに対して時間長さがＴ４のインターセプトを実行する。
【０１５１】
前記許可されないキャリアリソースに対して時間長さがＴ４のインターセプトを実行することは、具体的に、前記許可されないキャリアリソースをプリエンプトする必要があるサイトが常にサブフレームの開始時刻から時間長さがＴ４のインターセプトを実行し始めることを指し、ここで、前記のサブフレームとは、競争を実行するサブフレームを指す。
【０１５２】
ステップ４０２：、前記許可されないキャリアリソースがアイドルであることをインターセプトした際に、競争時間ウィンドウ内のロールバック操作によって、前記許可されないキャリアリソースの使用権をプリエンプトする。
【０１５３】
ここで、前記競争時間ウィンドウ内のロールバック操作によって、前記許可されないキャリアリソースの使用権をプリエンプトすることは、具体的に、
前記許可されないキャリアリソースをプリエンプトする必要があるサイトは、指定された競争時間ウィンドウ内でロールバックの時点を確定し(ランダムロールバック値を選択する)、且つ確定したロールバック時点(前記ロールバック値が０に逓減する)の前に、前記競争時間ウィンドウ内で前記許可されないキャリアリソースをインターセプトすること、及び
前記確定したロールバック時点に到達し(前記ロールバック値が０に逓減する)、且つ前記競争時間ウィンドウ内で前記許可されないキャリアリソースがアイドルであることをインターセプトした際に、前記確定したロールバック時点で前記許可されないキャリアリソースを使用してチャンネル占用信号を送信し始め、この時、前記許可されないキャリアリソースをプリエンプトする必要があるサイトが、前記許可されないキャリアリソースをプリエンプトしたことを表すことを含む。
【０１５４】
前記競争時間ウィンドウ内のＯＦＤＭ符号には、ショートＣＰを使用する。
【０１５５】
前記競争時間ウィンドウの時間長さは、１msを超えなく、(１−Ｔ４)msであってもよく、Ｔ４は、指定時間長さであり、Ｔ４の取る値範囲は０以上であり、且つ前記競争時間ウィンドウの時間長さよりも小さい。実際に応用する際に、Ｔ４の取り得る値は、サイトが完全にデータを一回解析するのに必要な時間に基づき確定することができ (即ち、サイトが現在のデータパケットを処理する消耗時間)、帯域幅の異なりによって、サイトの処理消耗時間に影響を及ぼすため、異なる所定の帯域幅に対して異なる取る値を定義することができる。
【０１５６】
前記確定したロールバック時点に到達し、且つ前記競争時間ウィンドウ内で前記許可されないキャリアリソースがアイドルであることをインターセプトした際に、前記許可されないキャリアリソースをプリエンプトする必要があるサイトが、前記許可されないキャリアリソースをプリエンプトしたことを表し、前記確定したロールバック時点に到達し、且つ前記許可されないキャリアリソースがビジーであることをインターセプトした際に、前記許可されないキャリアリソースをプリエンプトする必要があるサイトが、前記許可されないキャリアリソースへのプリエンプションが失敗であることを表し、後続の操作を停止する。
【０１５７】
ここで、前記許可されないキャリアリソースがビジーであることをインターセプトしたこととは、前記許可されないキャリアリソースをプリエンプトする必要があるサイトは、前記許可されないキャリアリソースにおける信号を受信して、信号を解析することによって、前記許可されないキャリアの中でその他のサイトが送信した信号があることを知り、或いは前記許可されないキャリアリソースにおける信号を受信して、エネルギー検出によって、前記許可されないキャリアリソースのエネルギーが所定のエネルギー閾値を超えることを確定する。
【０１５８】
対応的に、前記許可されないキャリアリソースがアイドルであることをインターセプトしたこととは、前記許可されないキャリアリソースをプリエンプトする必要があるサイトが、前記許可されないキャリアリソースにおける信号を受信して、信号を解析することによって、前記許可されないキャリアの中でその他のサイトが送信する信号がないことを知り、或いは、前記許可されないキャリアリソースにおける信号を受信して、エネルギー検出によって、前記許可されないキャリアリソースのエネルギーが所定のエネルギー閾値を超えないことを確定することである。
【０１５９】
前記指定された競争時間ウィンドウ内でロールバックの時点を確定することは、具体的に、
前記競争時間ウィンドウをＮ部に分割して、且つ順次に０〜Ｎ−１に番号付け、
０〜Ｎ−１の間の数値Ｍをランダムに発生して、Ｍに対応する時点が確定したロールバック時点であることである。
【０１６０】
前記０〜Ｎ−１の間の数値Ｍをランダムに発生することは、０〜１の間の数値をランダムに生成することを含み、次に０〜Ｎ−１の間の数値Ｍにマッピングする。
【０１６１】
ここで、前記Ｎ部における各部の時間長さは、１つのＯＦＤＭ符号又は半分のＯＦＤＭ符号、又は１/４個のＯＦＤＭ符号の時間長さであってもよい。
【０１６２】
単一のオペレーターが該地理位置でＬＴＥシステムを許可されないキャリアに配置する状況のみを考える際に、セルラーセル配置の特点(特徴)に基づき、隣接する又は間隔を置いたセルの間の干渉状況を選択して、以下の前記Ｎ部における各部時間長さを確定する方式を挙げることができる。
【０１６３】
一実施例において、前記各部の時間長さは、前記競争時間ウィンドウ/３７msを超えなく、(１−Ｔ４)/３７msであってもよい。
【０１６４】
一実施例において、前記各部の時間長さは、前記競争時間ウィンドウ/１９msを超えなく、(１−Ｔ４)/１９msであってもよい。
【０１６５】
一実施例において、前記各部の時間長さは、前記競争時間ウィンドウ/７msを超えなく、(１−Ｔ４)/７msであってもよい。
【０１６６】
複数のオペレーターが同時に該地理位置でＬＴＥシステムを許可されないキャリアに配置する状況を考える際に、セルラーセル配置の特点に基づき、且つサポートしたオペレーター数を考えて、隣接する又は間隔を置いたセルの間の干渉状況を選択し、例えば２つのオペレーターをサポートする際に、それぞれ対応する各部時間長さは以下の通りである。
【０１６７】
一実施例において、前記各部の時間長さは、前記競争時間ウィンドウ/(３７＊２)msを超えなく、(１−Ｔ４)/(３７＊２)msであってもよい。
【０１６８】
一実施例において、前記各部の時間長さは、前記競争時間ウィンドウ/(１９＊２)msを超えなく、(１−Ｔ４)/(１９＊２)msであってもよい。
【０１６９】
一実施例において、前記各部の時間長さは、前記競争時間ウィンドウ/(７＊２)msを超えなく、(１−Ｔ４)/(７＊２)msであってよい。
【０１７０】
一実施例において、異なる許可されないキャリアリソースのシステム帯域幅に基づき前記各部の時間長さを設定することができ、具体的に、前記各部の時間長さをＫとし、許可されないキャリアリソースのシステム帯域幅が２０Ｍである際に、Ｋの最小の取り得る値は９μsであり、許可されないキャリアのシステム帯域幅は１０Ｍである際に、Ｋの最小の取り得る値は１３μsであり、許可されないキャリアのシステム帯域幅が５Ｍである際に、Ｋの最小の取り得る値は２１μsである。
【０１７１】
前記チャンネル占用信号は、前記許可されないキャリアリソースを占用する時間情報、チャンネルを占用するためのBeacon信号、基準信号等の少なくとも１種であってもよい。ここで、前記基準信号は、同期目的用の基準信号等であってもよい。
【０１７２】
ステップ４０３： 前記競争時間ウィンドウ内で前記許可されないキャリアリソースの使用権をプリエンプトすることに成功した際に、前記許可されないキャリアリソースを使用してチャンネル占用信号を送信する。
【０１７３】
該方法は、
前記許可されないキャリアリソースをプリエンプトする必要があるサイトは、前記許可されないキャリアリソースの使用権プリエンプションが成功であることを確定し、且つ次のサブフレームが開始してから、プリエンプトした前記許可されないキャリアリソースを使用してデータをスケジューリングするステップを更に含んでもよい。
【０１７４】
ここで、前記許可されないキャリアリソースをプリエンプトする必要があるサイトが前記許可されないキャリアリソースを占用する時間開始点は、前記次のサブフレームの開始点である。つまり、前記許可されないキャリアリソースをプリエンプトする必要があるサイトは、次のサブフレームの開始時刻まで、前記許可されないキャリアリソースを使用して、チャンネル占用信号を送信する。
【０１７５】
前記許可されないキャリアリソースをプリエンプトする必要があるサイトは、前記許可されないキャリアリソースの使用権プリエンプションが成功であることを確定し、且つ次のサブフレームが開始してから、ＵＥデータをスケジューリングするように、プリエンプトした前記許可されないキャリアリソースを使用して制御シグナリングを送信し、或いは前記許可されないキャリアリソースとペアになっている許可されたキャリアリソースを使用して制御シグナリングを送信し、ＵＥデータをスケジューリングし、前記許可されないキャリアリソースに伝送する。
【０１７６】
前記許可されないキャリアリソースの使用権プリエンプションが成功であることを確定し、且つ次のサブフレームが開始してから、前記許可されないキャリアリソースをプリエンプトする必要があるサイトは、ＵＥデータをスケジューリングするように、プリエンプトした前記許可されないキャリアリソースを使用して制御シグナリングを送信することを許可する。これは、ＬＴＥシステムが、１つの同期システムであり、即ち、統一的な、サブフレームを揃える時間起点が必要であり、つまり、ＬＴＥシステムのスケジューリングは、サブフレームを単位とするため、前記許可されないキャリアリソースをプリエンプトする必要があるサイトは、前記許可されないキャリアへのプリエンプションが成功し、且つ依然として次のサブフレームに到達しない際に、前記許可されないキャリアリソースをプリエンプトする必要があるサイトはＵＥデータをスケジューリングすることができないためである。しかし、前記許可されないキャリアリソースをプリエンプトする必要があるサイトは、いくつかの信号、例えば許可されないキャリアを占用する時間情報、チャンネルを占用するbeacon信号、及び様々な基準信号等を送信することができ、これらの信号を送信する作用は主に、その他のシステム(例えばＷＩＦＩシステム)が、前記許可されないキャリアリソースがビジーであることをインターセプトすることにより、これらのシステムは、前記許可されないキャリアリソースをプリエンプトする必要があるサイトによって、プリエンプトされた前記許可されないキャリアリソースを占用することを防止する。前記許可されないキャリアリソースをプリエンプトする必要があるサイトにその他のシステムが存在しなく、例えばＬＴＥ-Ｕ(ＬＴＥが許可されないキャリアに運営することをＬＴＥ-Ｕと呼ぶ)システムだけがあると、前記許可されないキャリアリソースをプリエンプトする必要があるサイトは、前記許可されないキャリアリソースのプリエンプションが成功した後に、次のサブフレームの開始時刻までの時間帯内でチャンネル占用信号を送信しないことができる。これは、ＬＴＥ-Ｕシステムの間にこのような約束を採用することができるためであり、その他のサイトは、リソースプリエンプションが失敗であると認めると、次のサブフレーム時刻まで該周波数で示した許可されないリソースをプリエンプトしないが、前記許可されないキャリアリソースをプリエンプトする必要があるサイトは、送信した信号を受信することができる(前記許可されないキャリアリソースをプリエンプトする必要があるサイトが、チャンネル占用信号を送信すれば)。
【０１７７】
前記制御シグナリングは、ＤＣＩであってもよいし、ＤＣＩを使用してその他のサイトに前記許可されないキャリアリソースを占用する時間情報を通知してもよい。必要な基準信号も、前記次のサブフレームから送信し始める。
【０１７８】
本実施例に記載のサイトは、基地局等であってもよく、許可されないキャリアを使用する機器を指す。
【０１７９】
本発明の実施例によるリソースプリエンプション方法は、許可されないキャリアリソースの使用が終了することを確定した際に、前記許可されないキャリアリソースに対して時間長さがＴ４のインターセプトを実行し、前記許可されないキャリアリソースがアイドルであることをインターセプトした際に、競争時間ウィンドウ内のロールバック操作によって、前記許可されないキャリアリソースの使用権をプリエンプトし、前記競争時間ウィンドウの時間が終了し、且つ前記許可されないキャリアリソースの使用権プリエンプションが成功であることを確定した際に、次のサブフレームの開始時刻まで、前記許可されないキャリアリソースを使用してチャンネル占用信号を送信する。本発明の実施例によるフレーム構造は、搬送波感知多重アクセスのフレーム構造であり、本発明の実施例による手段は、搬送波感知多重アクセスのメカニズムの手段であり、本発明の実施例によるフレーム構造及び対応する方法を利用して、許可されないキャリアリソースを効率よくプリエンプトすることができる。
【０１８０】
本発明の実施例のリソースプリエンプション方法は、ＬＴＥシステムの許可されないキャリアリソースへの競争をより有効にさせる。
【０１８１】
また、本発明の実施例のリソースプリエンプション方法は、更にＷＩＦＩシステムに適用できる。
【０１８２】
実施例五 
本実施例のリソースプリエンプション方法は、許可されないキャリアリソースの使用が終了することを確定した際に、直接、競争時間ウィンドウ内のロールバック操作によって、前記許可されないキャリアリソースの使用権をプリエンプトするステップを含む。
【０１８３】
言い換えると、前記許可されないキャリアリソースをプリエンプトする必要があるサイトは、前記許可されないキャリアリソースを使用するサイトが前記許可されないキャリアリソースに対する使用状況を知り、且つ前記許可されないキャリアリソースを使用するサイトが、前記許可されないキャリアリソースの使用を終了する際に、競争時間ウィンドウ内のロールバック操作だけによって、前記許可されないキャリアリソースの使用権をプリエンプトする。前記許可されないキャリアリソースをプリエンプトする必要があるサイトは、受信した前記許可されないキャリアリソースを使用するサイトが送信したサイト時間情報に基づき、前記許可されないキャリアリソースを使用するサイトが前記許可されないキャリアリソースを使用する終了時間点を確定することがでる。前記許可されないキャリアリソースをリアルタイムに傍受する方式を利用してもよく、例えば前記許可されないキャリアリソースをプリエンプトする必要があるサイトは、前記許可されないキャリアリソースがアイドルであるか否かをリアルタイムにインターセプトし、アイドルであることを発見すると、前記許可されないキャリアリソースをプリエンプトする必要があるサイトは、前記許可されないキャリアリソースを使用するサイトが前記許可されないキャリアリソースの使用を終了することを確定する。
【０１８４】
実際に応用する際に、前記許可されないキャリアリソースをプリエンプトする必要があるサイトは、前記許可されないキャリアリソースをリアルタイムに傍受する方式によって、前記許可されないキャリアリソースを使用するサイトが、前記許可されないキャリアリソースの使用を終了するか否かを確定する際に、前記許可されないキャリアリソースの使用を終了することを確定した際に、直接、競争時間ウィンドウ内のロールバック操作によって、前記許可されないキャリアリソースの使用権をプリエンプトする具体的な実現は以下の通りである。
【０１８５】
前記許可されないキャリアリソースがアイドルであるか否かをリアルタイムに傍受することによって、アイドルであると発見する際に、前記許可されないキャリアリソースをプリエンプトする必要があるサイトは、直接、競争時間ウィンドウ内のロールバック操作によって、前記許可されないキャリアリソースの使用権をプリエンプトする。
【０１８６】
言い換えると、前記許可されないキャリアリソースをプリエンプトする必要があるサイトは、許可されないキャリアリソースに対して時間長さがＴ５のインターセプトを実行し、前記許可されないキャリアリソースがアイドルであることをインターセプトした際に、直接、競争時間ウィンドウ内のロールバック操作によって、前記許可されないキャリアリソースの使用権をプリエンプトする。
【０１８７】
前記競争時間ウィンドウ内のロールバック操作によって、前記許可されないキャリアリソースの使用権をプリエンプトすることは、具体的に、
前記許可されないキャリアリソースをプリエンプトする必要があるサイトは、指定された競争時間ウィンドウ内でロールバックの時点を確定し(ランダムロールバック値を選択する)、且つ確定したロールバック時点(前記ロールバック値が０に逓減する)の前に、前記競争時間ウィンドウ内で前記許可されないキャリアリソースをインターセプトすること、及び
前記確定したロールバック時点に到達し(前記ロールバック値が０に逓減する)、且つ前記競争時間ウィンドウ内で前記許可されないキャリアリソースがアイドルであることをインターセプトした際に、前記確定したロールバック時点で前記許可されないキャリアリソースを使用してチャンネル占用信号を送信し始め、この時、前記許可されないキャリアリソースをプリエンプトする必要があるサイトが、前記許可されないキャリアリソースをプリエンプトしたことを表すことを含む。
【０１８８】
前記競争時間ウィンドウ内のＯＦＤＭ符号には、ショートＣＰを使用する。
【０１８９】
前記競争時間ウィンドウの時間長さは、１msを超えなく、(１−Ｔ５)msであってもよく、Ｔ５は、指定時間長さであり、Ｔ５の取る値範囲は０以上であり、且つ前記競争時間ウィンドウの時間長さよりも小さい。実際に応用する際に、Ｔ５の取り得る値は、サイトが完全にデータを一回解析するのに必要な時間に基づき確定することができ(即ち、サイトが現在のデータパケットを処理する消耗時間)、帯域幅の異なりによって、サイトの処理消耗時間に影響を及ぼすため、異なる所定の帯域幅に対して異なる取る値を定義することができる。
【０１９０】
前記確定したロールバック時点に到達し、且つ前記競争時間ウィンドウ内で前記許可されないキャリアリソースがアイドルであることをインターセプトした際に、前記許可されないキャリアリソースをプリエンプトする必要があるサイトが、前記許可されないキャリアリソースをプリエンプトしたことを表し、前記確定したロールバック時点に到達し、且つ前記許可されないキャリアリソースがビジーであることをインターセプトした際に、前記許可されないキャリアリソースをプリエンプトする必要があるサイトが、前記許可されないキャリアリソースへのプリエンプションが失敗であることを表し、後続の操作を停止する。
【０１９１】
ここで、前記許可されないキャリアリソースがビジーであることをインターセプトしたこととは、前記許可されないキャリアリソースをプリエンプトする必要があるサイトは、前記許可されないキャリアリソースにおける信号を受信して、信号を解析することによって、前記許可されないキャリアの中でその他のサイトが送信した信号があることを知り、或いは前記許可されないキャリアリソースにおける信号を受信して、エネルギー検出によって、前記許可されないキャリアリソースのエネルギーが所定のエネルギー閾値を超えることを確定する。
【０１９２】
対応的に、前記許可されないキャリアリソースがアイドルであることをインターセプトしたこととは、前記許可されないキャリアリソースをプリエンプトする必要があるサイトが、前記許可されないキャリアリソースにおける信号を受信して、信号を解析することによって、前記許可されないキャリアの中でその他のサイトが送信する信号がないことを知り、或いは、前記許可されないキャリアリソースにおける信号を受信して、エネルギー検出によって、前記許可されないキャリアリソースのエネルギーが所定のエネルギー閾値を超えないことを確定することである。
【０１９３】
前記指定された競争時間ウィンドウ内でロールバックの時点を確定することは、具体的に、
前記競争時間ウィンドウをＮ部に分割して、且つ順次に０〜Ｎ−１に番号付け、
０〜Ｎ−１の間の数値Ｍをランダムに発生して、Ｍに対応する時点が確定したロールバック時点であることである。
【０１９４】
前記０〜Ｎ−１の間の数値Ｍをランダムに発生することは、０〜１の間の数値をランダムに生成することを含み、次に０〜Ｎ−１の間の数値Ｍにマッピングする。
【０１９５】
ここで、前記Ｎ部における各部の時間長さは、１つのＯＦＤＭ符号又は半分のＯＦＤＭ符号、又は１/４個のＯＦＤＭ符号の時間長さであってもよい。
【０１９６】
単一のオペレーターが該地理位置でＬＴＥシステムを許可されないキャリアに配置する状況のみを考える際に、セルラーセル配置の特点(特徴)に基づき、隣接する又は間隔を置いたセルの間の干渉状況を選択して、以下の前記Ｎ部における各部時間長さを確定する方式を挙げることができる。
【０１９７】
一実施例において、前記各部の時間長さは、前記競争時間ウィンドウ/３７msを超えなく、(１-Ｔ５)/３７msであってもよい。
【０１９８】
一実施例において、前記各部の時間長さは、前記競争時間ウィンドウ/１９msを超えなく、(１−Ｔ５)/１９msであってもよい。
【０１９９】
一実施例において、前記各部の時間長さは、前記競争時間ウィンドウ/７msを超えなく、(１−Ｔ５)/７msであってもよい。
【０２００】
複数のオペレーターが同時に該地理位置でＬＴＥシステムを許可されないキャリアに配置する状況を考える際に、セルラーセル配置の特点に基づき、且つサポートしたオペレーター数を考えて、隣接する又は間隔を置いたセルの間の干渉状況を選択し、例えば２つのオペレーターをサポートする際に、それぞれ対応する各部時間長さは以下の通りである。
【０２０１】
一実施例において、前記各部の時間長さは、前記競争時間ウィンドウ/(３７＊２)msを超えなく、(１−Ｔ５)/(３７＊２)msであってもよい。
【０２０２】
一実施例において、前記各部の時間長さは、前記競争時間ウィンドウ/(１９＊２)msを超えなく、(１−Ｔ５)/(１９＊２)msであってもよい。
【０２０３】
一実施例において、前記各部の時間長さは、前記競争時間ウィンドウ/(７＊２)msを超えなく、(１−Ｔ５)/(７＊２)msであってもよい。
【０２０４】
一実施例において、異なる許可されないキャリアリソースのシステム帯域幅に基づき前記各部の時間長さを設定することができ、具体的に、前記各部の時間長さをＫとし、許可されないキャリアリソースのシステム帯域幅が２０Ｍである際に、Ｋの最小の取り得る値は９μsであり、許可されないキャリアのシステム帯域幅は１０Ｍである際に、Ｋの最小の取り得る値は１３μsであり、許可されないキャリアのシステム帯域幅は５Ｍである際に、Ｋの最小の取る値は２１μsである。
【０２０５】
前記チャンネル占用信号は、前記許可されないキャリアリソースを占用する時間情報、チャンネルを占用するためのBeacon信号、基準信号等の少なくとも１種であってもよい。ここで、前記基準信号は、同期目的用の基準信号、測定目的用の基準信号等であってもよい。
【０２０６】
前記許可されないキャリアリソースの使用権プリエンプションが成功であることを確定し、且つ次のサブフレームが来る前に、該方法は、
次のサブフレームの開始時刻まで、前記許可されないキャリアリソースを使用してチャンネル占用信号を送信するステップを更に含んでもよい。
【０２０７】
該方法は
前記許可されないキャリアリソースの使用権プリエンプションが成功であることを確定し、且つ次のサブフレームが開始してから次、プリエンプトした前記許可されないキャリアリソースを使用してデータをスケジューリングするステップを更に含んでもよい。
【０２０８】
ここで、前記許可されないキャリアリソースをプリエンプトする必要があるサイトが前記許可されないキャリアリソースを占用する時間開始点は、前記次のサブフレームの開始点である。
【０２０９】
前記許可されないキャリアリソースをプリエンプトする必要があるサイトは、前記許可されないキャリアリソースの使用権プリエンプションが成功であることを確定し、且つ次のサブフレームが開始してから、ＵＥデータをスケジューリングするように、プリエンプトした前記許可されないキャリアリソースを使用して制御シグナリングを送信し、或いは前記許可されないキャリアリソースとペアになっている許可されたキャリアリソースを使用して制御シグナリングを送信し、ＵＥデータをスケジューリングし、前記許可されないキャリアリソースに伝送する。
【０２１０】
前記許可されないキャリアリソースの使用権プリエンプションが成功であることを確定し、且つ次のサブフレームが開始してから、前記許可されないキャリアリソースをプリエンプトする必要があるサイトは、ＵＥデータをスケジューリングするように、プリエンプトした前記許可されないキャリアリソースを使用して制御シグナリングを送信することを許可する。これは、ＬＴＥシステムが、１つの同期システムであり、即ち、統一的な、サブフレームを揃える時間起点が必要であり、つまり、ＬＴＥシステムのスケジューリングは、サブフレームを単位とするため、前記許可されないキャリアリソースをプリエンプトする必要があるサイトは、前記許可されないキャリアへのプリエンプションが成功し、且つ依然として次のサブフレームに到達しない際に、前記許可されないキャリアリソースをプリエンプトする必要があるサイトは、ＵＥデータをスケジューリングすることができないためである。しかし、前記許可されないキャリアリソースをプリエンプトする必要があるサイトは、いくつかの信号、例えば許可されないキャリアを占用する時間情報、チャンネルを占用するbeacon信号、及び様々な基準信号等を送信することができ、これらの信号を送信する作用は主に、その他のシステム(例えばＷＩＦＩシステム)が、前記許可されないキャリアリソースがビジーであることをインターセプトすることにより、これらのシステムは、前記許可されないキャリアリソースをプリエンプトする必要があるサイトによって、プリエンプトされた前記許可されないキャリアリソースを占用することを防止する。前記許可されないキャリアリソースをプリエンプトする必要があるサイトにその他のシステムが存在しなく、例えばＬＴＥ-Ｕ(ＬＴＥが許可されないキャリアに運営することをＬＴＥ-Ｕと呼ぶ)システムだけがあると、前記許可されないキャリアリソースをプリエンプトする必要があるサイトは、前記許可されないキャリアリソースのプリエンプションが成功した後に、次のサブフレームの開始時刻までの時間帯内でチャンネル占用信号を送信しないことができる。これは、ＬＴＥ-Ｕシステムの間にこのような約束を採用することができるためであり、その他のサイトは、リソースプリエンプションが失敗であると認めると、次のサブフレーム時刻まで該周波数で示した許可されないリソースをプリエンプトしないが、前記許可されないキャリアリソースをプリエンプトする必要があるサイトは、送信した信号を受信することができる(前記許可されないキャリアリソースをプリエンプトする必要があるサイトが、チャンネル占用信号を送信すれば)。
【０２１１】
前記制御シグナリングは、ＤＣＩであってもよいし、ＤＣＩを使用して、その他のサイトに前記許可されないキャリアリソースを占用する時間情報を通知してもよい。必要な基準信号も、前記次のサブフレームから送信し始める。
【０２１２】
本実施例に記載のサイトは、基地局等であってもよく、許可されないキャリアを使用する機器を指す。
【０２１３】
本発明の実施例によるリソースプリエンプション方法は、許可されないキャリアリソースの使用が終了することを確定した際に、直接、競争時間ウィンドウ内のロールバック操作によって、前記許可されないキャリアリソースの使用権をプリエンプトする。本発明の実施例によるフレーム構造は、搬送波感知多重アクセスのフレーム構造であり、本発明の実施例による手段は、搬送波感知多重アクセスのメカニズムの手段であり、本発明の実施例によるフレーム構造及び対応する方法を利用して、許可されないキャリアリソースを効率よくプリエンプトすることができる。
【０２１４】
本発明の実施例のリソースプリエンプション方法は、ＬＴＥシステムの許可されないキャリアリソースへの競争をより有効にさせる。
【０２１５】
また、本発明の実施例のリソースプリエンプション方法は、更にＷＩＦＩシステムに適用できる。
【０２１６】
実施例六
図５は、本実施例に採用されたフレーム構造模式図であり、図５に示すように、本実施例において搬送波感知多重アクセスメカニズム全体が占用した時間長さは、ＬＴＥの１つのサブフレーム時間長さであるが、実際に応用する際には、占用した時間長さは、複数のサブフレーム時間長さであってもよいし、非整数個のサブフレーム時間長さであってもよい。
【０２１７】
図５と結びつけながら、本実施例の搬送波感知多重アクセスメカニズムの具体的な実現は、以下を含む。
【０２１８】
基地局１(一類のサイトを代表し、競争に参加するＵＥであってもよい)は、その他の前記許可されないキャリアリソースを使用しているサイトを傍受して、且つ前記その他の前記許可されないキャリアリソースを使用しているサイトと同期し、前記その他の前記許可されないキャリアリソースを使用しているサイトが送信した許可されないキャリアを占用する時間情報を受信するようにし、最終的に競争時間ウィンドウの起点時刻を取得する。
【０２１９】
その他のサイトが許可されないキャリアリソースの使用を終了する際に、基地局１は、競争時間ウィンドウを利用して、許可されないキャリアリソースを競争し始める。具体的に、基地局１は、ランダムに１つの数値を発生して競争時間ウィンドウ内でのロールバックの時点を確定し、確定したロールバック時点の前に、基地局１は、許可されないキャリアリソースをインターセプトし、確定したロールバック時点に到達する際に、許可されないキャリアリソースをインターセプトした結果がアイドルであると、基地局１は、自分が許可されないキャリアリソースをプリエンプトしたと認め、基地局１は、確定したロールバック時点から信号を送信し(この時の信号は、基準信号、同期信号又はチャンネルを占用する信号であってもよい)、その他の許可されないキャリアリソースのプリエンプションに参加するサイトは、各自のロールバック時点の前の許可されないキャリアリソースをインターセプトする過程において、許可されないキャリアリソースがビジーであることをインターセプトしたことにより、許可されないキャリアリソースが占用されたことを知る。ここで、基地局１は、確定したロールバック時点の前に、許可されないキャリアリソースをインターセプトした結果がビジーであると、基地局１は、本回の許可されないキャリアリソースの競争が失敗であると認め、後続の操作を停止する。
【０２２０】
競争時間ウィンドウの時間が終了した後に、基地局１は、時間長さがｔのインターセプトを実行し、この時、インターセプトは主に、許可されないキャリアリソースが例えば軍用レーダーシステム等の主システムによって使用されるか否かを発見することに用いられ、主システムによって使用されると、基地局１は、許可されないキャリアリソースの使用を放棄する必要がある。ｔ時間帯のインターセプトが終了した後に、依然として次のサブフレームの開始時刻に到達しないため、基地局１は、チャンネル占用信号を送信し続け、その他のシステムによって占用されることを防止するようにする。
【０２２１】
基地局１は、次のサブフレームの中まで占用情報を送信し、且つＵＥデータをスケジューリングし始める。
【０２２２】
実施例七
図６は、本実施例に採用されるフレーム構造模式図であり、図６に示すように、本実施例において、搬送波感知多重アクセスメカニズム全体が占用した時間長さは、ＬＴＥの１つのサブフレーム時間長さであるが、実際に応用する際には、占用した時間長さは、複数のサブフレーム時間長さであってもよいし、非整数個のサブフレーム時間長さであってもよい。
【０２２３】
図６と結びつけながら、本実施例の搬送波感知多重アクセスメカニズムの具体的な実現は、以下を含む。
【０２２４】
基地局１(一類のサイトを代表し、競争に参加するＵＥであってもよい)は、その他の前記許可されないキャリアリソースを使用しているサイトを傍受して、且つ前記その他の前記許可されないキャリアリソースを使用しているサイトと同期し、前記その他の前記許可されないキャリアリソースを使用しているサイトが送信した許可されないキャリアリソースを占用する時間情報を受信するようにし、最終的に競争時間ウィンドウの起点時刻を取得する。
【０２２５】
その他のサイトが許可されないキャリアリソースの使用を終了する際に、基地局１は、競争時間ウィンドウを利用して、許可されないキャリアリソースを競争し始める。具体的に、基地局１は、ランダムに１つの数値を発生して競争時間ウィンドウ内でのロールバックの時点を確定し、確定したロールバック時点の前に、基地局１は、許可されないキャリアリソースをインターセプトし、確定したロールバック時点に到達する際に、許可されないキャリアリソースをインターセプトした結果がアイドルであると、基地局１は、自分が許可されないキャリアリソースをプリエンプトしたことを認め、基地局１は、確定したロールバック時点から信号を送信し(この時の信号は、基準信号、同期信号又はチャンネルを占用する信号であってもよい)、その他の許可されないキャリアリソースのプリエンプションに参加するサイトは、各自のロールバック時点の前の許可されないキャリアリソースをインターセプトする過程において、許可されないキャリアリソースがビジーであることをインターセプトしたことにより、許可されないキャリアリソースが占用されたことを知る。ここで、基地局１は、確定したロールバック時点の前に、許可されないキャリアリソースをインターセプトした結果がビジーであると、基地局１は、本回の許可されないキャリアリソースの競争が失敗であると認め、後続の操作を停止する。
【０２２６】
競争時間ウィンドウの時間が終了した後に、基地局１は、時間長さがｔのインターセプトを実行し、この時、インターセプトは主に、許可されないキャリアリソースが例えば軍用レーダーシステム等の主システムによって使用されるか否かを発見することに用いられ、主システムによって使用されると、基地局１は、許可されないキャリアリソースの使用を放棄する必要がある。この時、ｔ時間帯の終了時刻は、次のサブフレームの開始時刻である。
【０２２７】
基地局１は、次のサブフレームの中まで占用情報を送信し、且つＵＥデータをスケジューリングし始める。
【０２２８】
実施例八
図７は、本実施例に採用されるフレーム構造模式図であり、図７に示すように、本実施例において、搬送波感知多重アクセスメカニズム全体が占用した時間長さは、ＬＴＥの１つのサブフレーム時間長さであるが、実際に応用する際には、占用した時間長さは、複数のサブフレーム時間長さであってもよいし、非整数個のサブフレーム時間長さであってもよい。
【０２２９】
図７と結びつけながら、本実施例の搬送波感知多重アクセスメカニズムの具体的な実現は、以下を含む。
【０２３０】
基地局１(一類のサイトを代表し、競争に参加するＵＥであってもよい)は、その他の前記許可されないキャリアリソースを使用しているサイトを傍受して、且つ前記その他の前記許可されないキャリアリソースを使用しているサイトと同期し、前記その他の前記許可されないキャリアリソースを使用しているサイトが送信した許可されないキャリアリソースを占用する時間情報を受信するようにし、最終的に競争時間ウィンドウの起点時刻を取得する。
【０２３１】
その他のサイトが許可されないキャリアリソースの使用を終了する際に、基地局１は、競争時間ウィンドウを利用して、許可されないキャリアリソースを競争し始める。具体的に、基地局１は、ランダムに１つの数値を発生して競争時間ウィンドウ内でのロールバックの時点を確定し、確定したロールバック時点の前に、基地局１は、許可されないキャリアリソースをインターセプトし、確定したロールバック時点に到達する際に、許可されないキャリアリソースをインターセプトした結果がアイドルであると、基地局１は、自分が許可されないキャリアリソースをプリエンプトしたことを認め、基地局１は、確定したロールバック時点から信号を送信し(この時の信号は、基準信号、同期信号又はチャンネルを占用する信号であってもよい)、その他の許可されないキャリアリソースのプリエンプションに参加するサイトは、各自のロールバック時点の前の許可されないキャリアリソースをインターセプトする過程において、許可されないキャリアリソースがビジーであることをインターセプトしたことにより、許可されないキャリアリソースが占用されたことを知る。ここで、基地局１は、確定したロールバック時点の前に、許可されないキャリアリソースをインターセプトした結果がビジーで
あると、基地局１は、本回の許可されないキャリアリソースの競争が失敗であると認め、後続の操作を停止する。
【０２３２】
競争時間ウィンドウの時間が終了した後に、基地局１は、確定したロールバック時点と前の一つのサブフレームとの時間間隔(ロールバックの時点と前記許可されないキャリアリソースの使用終了時点との時間間隔)がｔ以上であるか否かを判断し、前記確定したロールバック時点と前の一つのサブフレームとの時間間隔がｔ以上であることを確定した際に、基地局１は、時間長さがｔのインターセプトを実行せず、競争時間ウィンドウが終了した後に、信号を送信し始め、次のサブフレームの開始時刻まで送信し、この時競争時間ウィンドウ内で実行したインターセプトが有効であると認めることができる。ここで、送信した信号は、占用チャンネル又はその他の目的のデータであってもよい。前記確定したロールバック時点と前の一つのサブフレームとの時間間隔がｔよりも小さいことを確定した際に、基地局１は、時間長さがｔのインターセプトを実行し、この時、インターセプトは主に、許可されないキャリアリソースが例えば軍用レーダーシステム等の主システムによって使用されるか否かを発見することに用いられ、主システムによって使用されると、基地局１は、許可されないキャリアリソースの使用を放棄する必要がある。ｔ時間帯が終了した後に、依然として次のサブフレームの開始時刻に到達しないと、基地局１は、チャンネル占用信号を送信し続け、その他のシステムによって占用されることを防止するようにする。
【０２３３】
基地局1は、次のサブフレームの中まで占用情報を送信し、且つＵＥデータをスケジューリングし始める。
【０２３４】
実施例九
図８は、本実施例に採用されるフレーム構造模式図であり、図８に示すように、本実施例において、搬送波感知多重アクセスメカニズム全体が占用した時間長さは、ＬＴＥの１つのサブフレーム時間長さであるが、実際に応用する際には、占用した時間長さは、複数のサブフレーム時間長さであってもよいし、非整数個のサブフレーム時間長さであってもよい。
【０２３５】
図８と結びつけながら、本実施例の搬送波感知多重アクセスメカニズムの具体的な実現は、以下を含む。
【０２３６】
基地局１(一類のサイトを代表し、競争に参加するＵＥであってもよい)は、その他の前記許可されないキャリアリソースを使用しているサイトを傍受して、且つ前記その他の前記許可されないキャリアリソースを使用しているサイトと同期し、前記その他の前記許可されないキャリアリソースを使用しているサイトが送信した許可されないキャリアリソースを占用する時間情報を受信するようにし、最終的に競争時間ウィンドウの起点時刻を取得する。
【０２３７】
その他のサイトが許可されないキャリアリソースの使用を終了する際に、基地局１は、競争時間ウィンドウを利用して、許可されないキャリアリソースを競争し始め、具体的に、基地局１は、ランダムに１つの数値を発生して競争時間ウィンドウ内でのロールバックの時点を確定し、確定したロールバック時点の前に、基地局１は、許可されないキャリアリソースをインターセプトし、確定したロールバック時点に到達する際に、許可されないキャリアリソースをインターセプトした結果がアイドルであると、基地局１は、自分が許可されないキャリアリソースをプリエンプトしたことを認め、基地局１は、確定したロールバック時点から信号を送信し(この時の信号は、基準信号、同期信号又はチャンネルを占用する信号であってもよい)、その他の許可されないキャリアリソースのプリエンプションに参加するサイトは、各自のロールバック時点の前の許可されないキャリアリソースをインターセプトする過程において、許可されないキャリアリソースがビジーであることをインターセプトしたことにより、許可されないキャリアリソースが占用されたことを知る。ここで、基地局１は、確定したロールバック時点の前に、許可されないキャリアリソースをインターセプトした結果がビジーであると、基地局１は、本回の許可されないキャリアリソースの競争が失敗であると認め、後続の操作を停止する。
【０２３８】
競争時間ウィンドウの時間が終了した後に、基地局１は、確定したロールバック時点と前の一つのサブフレームとの時間間隔(ロールバックの時点と前記許可されないキャリアリソースの使用終了時点との時間間隔)がｔ以上であるか否かを判断し、前記確定したロールバック時点と前の一つのサブフレームとの時間間隔がｔ以上であることを確定した際に、基地局１は、時間長さがｔのインターセプトを実行せず、この時競争時間ウィンドウ内で実行したインターセプトが有効であると認めることができる。ここで、送信した信号は、占用チャンネル又はその他の目的のデータであってもよい。前記確定したロールバック時点と前の一つのサブフレームとの時間間隔がｔよりも小さいことを確定した際に、基地局１は、時間長さがｔのインターセプトを実行し、この時、インターセプトは主に、許可されないキャリアリソースが例えば軍用レーダーシステム等の主システムによって使用されるか否かを発見することに用いられ、主システムによって使用されると、基地局１は、許可されないキャリアリソースの使用を放棄する必要がある。ｔ時間帯が終了した後に、次のサブフレームの開始時刻である。
【０２３９】
基地局１は、次のサブフレームの中に占用情報を送信して、且つＵＥデータをスケジューリングし始める。
【０２４０】
以上の説明から理解できるように、実施例五におけるフレーム構造は、実施例四におけるフレーム構造上で、実施例四に示した「チャンネル占用信号を送信する」部分を除去して、この部分の時間を競争時間ウィンドウの設計に使用することができ、それにより競争時間ウィンドウが長くなり、更に基地局の間で衝突する確率を減少する。 
【０２４１】
実施例十
図９は、本実施例に採用されるフレーム構造模式図であり、図９に示すように、本実施例において、搬送波感知多重アクセスメカニズム全体が占用した時間長さは、ＬＴＥの１つのサブフレーム時間長さであるが、実際に応用する際には、占用した時間長さは、複数のサブフレーム時間長さであってもよいし、非整数個のサブフレーム時間長さであってもよい。
【０２４２】
図９と結びつけながら、本実施例の搬送波感知多重アクセスメカニズムの具体的な実現は、以下を含む。
【０２４３】
基地局１(一類のサイトを代表し、競争に参加するＵＥであってもよい)は、その他の前記許可されないキャリアリソースを使用しているサイトを傍受して、且つ前記その他の前記許可されないキャリアリソースを使用しているサイトと同期し、前記その他の前記許可されないキャリアリソースを使用しているサイトが送信した許可されないキャリアリソースを占用する時間情報を受信するようにし、最終的に競争時間ウィンドウの起点時刻を取得する。
【０２４４】
その他のサイトが許可されないキャリアリソースの使用を終了する際に、基地局１は、競争時間ウィンドウを利用して、許可されないキャリアリソースを競争し始め、具体的に、基地局１は、ランダムに１つの数値を発生して競争時間ウィンドウ内でのロールバックの時点を確定し、確定したロールバック時点と許可されないキャリアリソースの使用終了との時間間隔がｔ以上である際に、確定したロールバック時点の前に、基地局１は、許可されないキャリアリソースをインターセプトし、確定したロールバック時点に到達する際に、許可されないキャリアリソースをインターセプトした結果がアイドルであると、基地局１は、自分が許可されないキャリアリソースをプリエンプトしたことを認め、基地局１は、確定したロールバック時点から次のサブフレームの開始時刻まで信号を送信し(この時の信号は、基準信号、同期信号又はチャンネルを占用する信号であってもよい)、その他の許可されないキャリアリソースのプリエンプションに参加するサイトは、各自のロールバック時点の前の許可されないキャリアリソースをインターセプトする過程において、許可されないキャリアリソースがビジーであることをインターセプトしたことにより、許可されないキャリアリソースが占用されたことを知る。ここで、基地局１は、確定したロールバック時点の前に、許可されないキャリアリソースをインターセプトした結果がビジーであると、基地局１は、本回の許可されないキャリアリソースの競争が失敗であると認め、後続の操作を停止する。
【０２４５】
基地局１は、次のサブフレームの中に占用情報を送信して、且つＵＥデータをスケジューリングし始める。
【０２４６】
確定したロールバック時点と許可されないキャリアリソースの使用終了との時間間隔がｔよりも小さい際に、基地局１は、以下の操作を採ることができる。
【０２４７】
１．基地局１は、本回で許可されないキャリアリソースへの競争が失敗であると認め、基地局１は、設定によって基地局１が次回で許可されないキャリアリソースを競争し、勝ち取る確率を大幅に向上させる。例えば、基地局１の次回で競争する競争時間ウィンドウを小さく設定することができ(ただし、時間長さｔより大きい)、更に設定によって、基地局１が選択したロールバック時点を、ｔ時刻の直後に隣接させることができる。
【０２４８】
２．基地局１は、選択したロールバック時点をｔ時刻後の第１時点に調整する。
【０２４９】
第１方式に従って処理すると、基地局１は、本回の許可されないキャリアリソースの競争を停止する。第２方式に従って処理すると、この時、調整した後のロールバック時点と競争時間ウィンドウ開始時刻との間隔はｔ以上であるため、基地局１は、前記対応する方式に従って実行する。
【０２５０】
以上の説明から明らかなように、実施例六におけるフレーム構造は、実施例五におけるフレーム構造上で、実施例五に示した「仮想ｔ」部分を除去し、この部分の時間を競争時間ウィンドウの設計に使用することができ、それにより競争時間ウィンドウが長くなり、更に基地局の間に衝突する確率を減少する。
【０２５１】
実施例十一
図１０は、本実施例に採用されるフレーム構造模式図であり、図１０に示すように、本実施例において、搬送波感知多重アクセスメカニズム全体が占用した時間長さは、ＬＴＥの１つのサブフレーム時間長さであるが、実際に応用する際には、占用した時間長さは、複数のサブフレーム時間長さであってもよいし、非整数個のサブフレーム時間長さであってもよい。
【０２５２】
図１０と結びつけながら、本実施例の搬送波感知多重アクセスメカニズムの具体的な実現は、以下を含む。
【０２５３】
基地局１(一類のサイトを代表し、競争に参加するＵＥであってもよい)は、その他の前記許可されないキャリアリソースを使用しているサイトを傍受して、且つ前記その他の前記許可されないキャリアリソースを使用しているサイトと同期し、前記その他の前記許可されないキャリアリソースを使用しているサイトが送信した、許可されないキャリアリソースを占用する時間情報を受信するようにし、最終的に、競争時間ウィンドウの起点時刻を取得する。基地局１は、前記許可されないキャリアリソースがアイドルであるか否かをリアルタイムに傍受し、許可されないキャリアがアイドルであって且つ一定の時間長さを持続する(例えば、図１０に示すｔ時間長さ)ことを発見する際に、基地局１は、競争時間ウィンドウ内のロールバック操作によって、前記許可されないキャリアリソースの使用権をプリエンプトする。好ましくは、基地局１は、サブフレームの開始位置時刻でｔ時間長さのインターセプトを実行し、アイドルであることをインターセプトした際に、基地局１は、競争ウィンドウロールバック過程に入る。競争ウィンドウの大きさは、１つのサブフレームの時間長さ(１ms) より小さくても、大きくてももよい。 
【０２５４】
その他のサイトが許可されないキャリアリソースの使用を終了する際に、基地局１は、時間長さがｔのインターセプトを実行し、時間長さがｔのインターセプト期間に、許可されないキャリアリソースがビジーであることをインターセプトすると、基地局１は、許可されないキャリアリソースがその他のサイトによって使用されると認め、基地局１は、許可されないキャリアリソースの競争を停止し、時間長さがｔのインターセプト期間に、許可されないキャリアリソースがアイドルであることをインターセプトすると、基地局１は、競争ウィンドウを利用して、許可されないキャリアリソースを競争し、具体的に、基地局１は、ランダムに１つの数値を発生して競争時間ウィンドウ内でのロールバックの時点を確定し、確定したロールバック時点の前に、基地局１は、許可されないキャリアリソースをインターセプトし、確定したロールバック時点に到達する際に、許可されないキャリアリソースをインターセプトした結果がアイドルであると(許可されないキャリアリソースをインターセプトした結果がビジーであると、基地局１は、本回の許可されないキャリアの競争が失敗であると認め、後続の操作を停止する)、基地局１は、自分が許可されないキャリアリソースをプリエンプトしたことを認め、基地局１は、確定したロールバック時点から競争時間ウィンドウが終了するまで信号を送信し(この時の信号は、基準信号、同期信号又はチャンネルを占用する信号であってもよい)、競争時間ウィンドウが終了した後に、依然として次のサブフレームの開始時刻に到達しない場合、基地局１は、チャンネル占用信号を送信し続け、或いはいくつかの所定の信号を送信して、ＵＥが許可されないキャリアリソースの関連情報(例えば、基地局１は、次のサブフレームで送信する基準信号の設定情報)を知ることを助け、その他のシステムによって占用されることを防止するようにする。
【０２５５】
基地局１は、次のサブフレームの中まで占用情報を送信し、且つＵＥデータをスケジューリングし始める。
【０２５６】
本実施例において、「チャンネル占用信号を送信する」時間帯が予約され、主に許可されないキャリアリソースを競争し勝ち取ったサイトは、この時段帯内でいくつかの制御情報を送信し、又は設定情報等をアクティブ化し、ＵＥが基地局１の許可されないキャリアリソースを競争し勝ち取ったことを知ることを助け、ＵＥが、基地局１が次のサブフレームに使用しようとする、例えば送信した基準信号設定情報、及びその他の予め定義される情報である設定情報を知ることを助ける。ここで、前記その他の予め定義される情報は、例えば、次のサブフレーム時刻で許可されないキャリアリソースをサポートする無線リソース制御(ＲＲＣ、Radio Resource Control)状態のＵＥに対して、許可されないキャリアリソースの情報をアクティブ化することを予約する。
【０２５７】
上記の「チャンネル占用信号を送信する」情報も、基地局１で確定したロールバック時点から送信し始めることもできる。実施例六〜実施例十四におけるその他の実施例にも類似である。配置する際に、基地局１が付近でいずれもＬＴＥ-Ｕシステムであることを既に知る際に、このような情報を送信しなくてもよく、ＬＴＥ-Ｕシステムにおいて、その他のサイトは、基地局１が許可されないキャリアリソースをプリエンプトしたことを知り、しかし、基地局１の付近でＷＩＦＩシステムが存在すると、ＷＩＦＩシステムはＬＴＥ-Ｕの競争メカニズムを解析することができないため、必ずチャンネル占用信号を送信する。
【０２５８】
実施例十二
図１１は、本実施例に採用されるフレーム構造模式図であり、図１１に示すように、本実施例において、搬送波感知多重アクセスメカニズム全体が占用した時間長さは、ＬＴＥの１つのサブフレーム時間長さであるが、実際に応用する際には、占用した時間長さは、複数のサブフレーム時間長さであってもよいし、非整数個のサブフレーム時間長さであってもよい。
【０２５９】
図１１と結びつけながら、本実施例の搬送波感知多重アクセスメカニズムの具体的な実現は、以下を含む。
【０２６０】
基地局１(一類のサイトを代表し、競争に参加するＵＥであってもよい)は、その他の前記許可されないキャリアリソースを使用しているサイトを傍受して、且つ前記その他の前記許可されないキャリアリソースを使用しているサイトと同期し、前記その他の前記許可されないキャリアリソースを使用しているサイトが送信した許可されないキャリアリソースを占用する時間情報を受信するようにし、最終的に競争時間ウィンドウの起点時刻を取得する。
【０２６１】
その他のサイトが許可されないキャリアリソースの使用を終了する際に、基地局１は、時間長さがｔのインターセプトを実行し、時間長さがｔのインターセプト期間に、許可されないキャリアリソースがビジーであることをインターセプトすると、基地局１は、許可されないキャリアリソースがその他のサイトによって使用されると認め、基地局１は、許可されないキャリアリソースの競争を停止し、時間長さがｔのインターセプト期間に、許可されないキャリアリソースがアイドルであることをインターセプトすると、基地局１は、競争時間ウィンドウを利用して、許可されないキャリアリソースを競争し、具体的に、基地局１は、ランダムに１つの数値を発生して競争時間ウィンドウ内でのロールバックの時点を確定し、確定したロールバック時点の前に、基地局１は、許可されないキャリアリソースをインターセプトし、確定したロールバック時点に到達する際に、許可されないキャリアリソースをインターセプトした結果がアイドルであると(許可されないキャリアリソースをインターセプトした結果がビジーであると、基地局１は、本回の許可されないキャリアの競争が失敗であると認め、後続の操作を停止する)、基地局１は、自分が許可されないキャリアリソースをプリエンプトしたことを認め、基地局１は、確定したロールバック時点から競争時間ウィンドウが終了するまで信号を送信し(この時の信号は、基準信号、同期信号又はチャンネルを占用する信号であってもよい)、送信した信号は、チャンネル占用信号、或いはいくつかの所定の信号であって、ＵＥが許可されないキャリアの関連情報 (例えば、基地局１が次のサブフレームで送信する基準信号の設定情報) を知ることを助け、その他のシステムによって占用されることを防止するようにする。
【０２６２】
基地局１は、次のサブフレームの中まで占用情報を送信し、且つＵＥデータをスケジューリングし始める。
【０２６３】
実施例十三
図１２は、本実施例に採用されるフレーム構造模式図であり、図１２に示すように、本実施例において、搬送波感知多重アクセスメカニズム全体が占用した時間長さは、ＬＴＥの１つのサブフレーム時間長さであるが、実際に応用する際には、占用した時間長さは、複数のサブフレーム時間長さであってもよいし、非整数個のサブフレーム時間長さであってもよい。
【０２６４】
図１２と結びつけながら、本実施例の搬送波感知多重アクセスメカニズムの具体的な実現は、以下を含む。
【０２６５】
基地局１(一類のサイトを代表し、競争に参加するＵＥであってもよい)は、その他の前記許可されないキャリアリソースを使用しているサイトを傍受して、且つ前記その他の前記許可されないキャリアリソースを使用しているサイトと同期し、前記その他の前記許可されないキャリアリソースを使用しているサイトが送信した許可されないキャリアリソースを占用する時間情報を受信するようにし、最終的に競争時間ウィンドウの起点時刻を取得する。
【０２６６】
その他のサイトが許可されないキャリアリソースの使用を終了する際に、基地局１は、競争時間ウィンドウを利用して、許可されないキャリアリソースを競争し始め、具体的に、基地局１は、ランダムに１つの数値を発生して競争時間ウィンドウ内でのロールバックの時点を確定し、次に、基地局１は、確定したロールバック時点と前の一つのサブフレームとの時間間隔(ロールバックの時点と前記許可されないキャリアリソースの使用終了時点との時間間隔)がｔ以上であることを判断する際に、確定したロールバック時点の前に、基地局１は、許可されないキャリアリソースをインターセプトし、確定したロールバック時点に到達する際に、許可されないキャリアリソースをインターセプトした結果がアイドルであると(許可されないキャリアリソースの結果がビジーであると、基地局１は、本回の許可されないキャリアの競争が失敗であると認め、後続の操作を停止する)、基地局１は、自分が許可されないキャリアリソースをプリエンプトしたことを認め、基地局１は、確定したロールバック時点から競争時間ウィンドウが終了するまで信号を送信し(この時の信号は、基準信号、同期信号又はチャンネルを占用する信号であってもよい)、次に、基地局１は、次のサブフレームの開始時刻まで、「チャンネル占用信号を送信する」期間に信号を送信し続け、その他の許可されないキャリアリソースのプリエンプションに参加するサイトが各自のロールバック時点の前の許可されないキャリアリソースをインターセプトする過程において、許可されないキャリアリソースがビジーであることをインターセプトし、許可されないキャリアリソースが占用されたことを知る。
【０２６７】
確定したロールバック時点と前のサブフレームとの時間間隔は、ｔよりも小さい際に、基地局１は、以下の操作を採ることができる。
【０２６８】
１．基地局１は、本回で許可されないキャリアリソースへの競争が失敗であると認め、基地局１は、設定によって、基地局１が次回で許可されないキャリアリソースを競争し勝ち取る確率を大幅に向上させる。例えば、基地局１の次回で競争する競争時間ウィンドウを小さく設定することができ(ただし、時間長さｔよりも大きい)、更に設定によって、基地局１が選択した時点をｔ時刻の直後に隣接させることができる。
【０２６９】
２．基地局１は、選択したロールバック時点をｔ時刻の後の第１時点に調整する。
【０２７０】
第１方式に従って処理すると、基地局１は、本回の許可されないキャリアリソースの競争を停止する。第２方式に従って処理すると、この時、調整した後のロールバック時点と競争時間ウィンドウ開始時刻との間隔はｔ以上であるため、基地局１は、前記対応する方式に従って実行する。
【０２７１】
基地局１はただ、次のサブフレームの中だけ、ＵＥデータをスケジューリングすることができる。
【０２７２】
実施例十四
図１３は、本実施例に採用されるフレーム構造模式図であり、図１３に示すように、本実施例において、搬送波感知多重アクセスメカニズム全体が占用した時間長さは、ＬＴＥの１つのサブフレーム時間長さであるが、実際に応用する際には、占用した時間長さは、複数のサブフレーム時間長さであってもよいし、非整数個のサブフレーム時間長さであってもよい。
基地局１は、前記許可されないキャリアリソースがアイドルであるか否かをリアルタイムに傍受し、許可されないキャリアがアイドルであって、且つ一定の時間長さを持続する(例えば、図１０に示したｔ時間長さ) ことを発見する際に、基地局１は、競争時間ウィンドウ内のロールバック操作によって、前記許可されないキャリアリソースの使用権をプリエンプトする。この時、前記競争ウィンドウの開始時刻は、図１０に示すｔの終了時刻である。好ましくは、基地局１は、サブフレームの開始位置時刻で、図１０に示すようなｔ時間長さのインターセプトを実行し、アイドルであることをインターセプトした際に、基地局１は、ウィンドウロールバックを競争する過程に入る。競争ウィンドウの大きさは、１つのサブフレームの時間長さ(１ms) よりも小さくても又は大きくてもよい。基地局１は、競争ロールバック時刻に到達する際に (つまり、基地局１がランダムに発生したロールバック値が、０に逓減する)、競争が成功であると、基地局１は、チャンネル占用信号を送信することができる。
【０２７３】
図１３と結びつけながら、本実施例の搬送波感知多重アクセスメカニズムの具体的な実現は、以下を含む。
【０２７４】
基地局１(一類のサイトを代表し、競争に参加するＵＥであってもよい)は、その他の前記許可されないキャリアリソースを使用しているサイトを傍受して、且つ前記その他の前記許可されないキャリアリソースを使用しているサイトと同期し、前記その他の前記許可されないキャリアリソースを使用しているサイトが送信した許可されないキャリアリソースを占用する時間情報を受信するようにし、最終的に競争時間ウィンドウの起点時刻を取得する。
【０２７５】
その他のサイトが許可されないキャリアの使用を終了する際に、基地局１は、競争時間ウィンドウを利用して、許可されないキャリアリソースを競争し始め、具体的に、基地局１は、ランダムに１つの数値を発生して競争時間ウィンドウ内でのロールバックの時点を確定し、確定したロールバック時点に到達する前に、基地局１は、許可されないキャリアリソースをインターセプトし、確定したロールバック時点に到達する際に、許可されないキャリアリソースをインターセプトした結果がアイドルであると(許可されないキャリアリソースをインターセプトした結果がビジーであると、基地局１は、本回の許可されないキャリアの競争が失敗であると認め、後続の操作を停止する)、基地局１は、許可されないキャリアリソースをプリエンプトしたことを認める。選択的に、基地局１は、プリエンプションが成功した後に、確定したロールバック時点から次のサブフレームの開始時刻まで信号を送信する。送信した信号は、チャンネル占用信号、或いはいくつかの所定の信号であって、ＵＥが許可されないキャリアの関連情報 (例えば、基地局１が次のサブフレームで送信する基準信号の設定情報) を知ることを助け、その他のシステムによって占用されることを防止するようにする。
【０２７６】
本実施例において、基地局１がｔ時間長さのインターセプトを実行することを省く原因は、ＬＴＥシステムが許可されないキャリアリソース競争に参加するのはいずれも基地局であり、基地局の間でほとんど空のデータの直接送信を行うことがなく、たまにデータを送信しても、事前に、送信する時間周波数リソースを約束する必要があり、以下の状況の発生を避ける。
【０２７７】
その他のサイトが許可されないキャリアリソースの使用を終了した後に、基地局１は、最も短い時間内で(例えば、この時間長さにおいて、機器はダウンリンク送信からアップリンク受信までの準備時間を完成することができない)許可されないキャリアリソースをプリエンプトした時、基地局１は、直ちにプリエンプトした許可されないキャリアリソースを使用してその他の基地局にデータを送信せず、次のサブフレームに到達した後に使用し、それにより、その他の基地局がダウンリンク送信状態からアップリンク受信状態まで変わることに成功していないことによって受信できない問題、又は受信信号の品質が悪い問題を避ける。時間長さがｔのインターセプト過程において、主システムをインターセプトし発見することに用いられる以外、その他の基地局にダウンリンクからアップリンクまでの変換時間問題を提供することができ、主システムの問題を考えないと、明らかで、ＬＴＥシステムのメカニズムを結合して、基地局１が、その他のサイトが許可されないキャリアリソースの使用を終了した後に時間長さがｔのインターセプトを実行する過程を省くことができる。インターセプトを設計する主な目的は、基地局１が許可されないキャリアリソースをプリエンプした後、ただ許可されないキャリアリソースの使用に十分な保護時間を有し、例えば、次のサブフレームまでだけ、データを送信し、或いはＬＴＥシステムはリソースをプリエンプトする前に、すでに十分な保護時間 (例えば、ロールバックプリエンプションの退回時点が比較的大きく、一般的に第１ロールバック時点でなければよい)を有する。
【０２７８】
実施例一による方法を実現するために、本発明の実施例は、サイトを更に提供し、図１４に示すように、該サイトは、第１プリエンプションユニット１４１、第１インターセプトユニット１４２、及び第１確定ユニット１４３を備える。
【０２７９】
第１プリエンプションユニット１４１は、許可されないキャリアリソースの使用が終了することを確定した際に、競争時間ウィンドウ内のロールバック操作によって、前記許可されないキャリアリソースの使用権をプリエンプトするように設定される。
【０２８０】
第１インターセプトユニット１４２は、前記競争時間ウィンドウ内のロールバック操作が成功である際に、時間長さがＴ１のインターセプトを実行するように設定される。
【０２８１】
第1確定ユニット１４３は、前記許可されないキャリアリソースがアイドルであることをインターセプトした際に、前記許可されないキャリアリソースの使用権プリエンプションが成功であることを確定するように設定される。
【０２８２】
第１プリエンプションユニット１４１は、前記許可されないキャリアリソースを使用するサイトが、前記許可されないキャリアリソースに対する使用状況を知り、且つ前記許可されないキャリアリソースを使用するサイトが、前記許可されないキャリアリソースの使用を終了する際に、第１プリエンプションユニット１４１は、競争時間ウィンドウ内のロールバック操作によって、前記許可されないキャリアリソースの使用権をプリエンプトする。第１プリエンプションユニット１４１は、受信した前記許可されないキャリアリソースを使用するサイトが送信したサイト時間情報に基づき、前記許可されないキャリアリソースを使用するサイトが前記許可されないキャリアリソースを使用する終了時間点を確定することができる。前記許可されないキャリアリソースをリアルタイムに傍受する方式を利用してもよく、例えば、第１プリエンプションユニット１４１は、前記許可されないキャリアリソースがアイドルであるか否かをリアルタイムにインターセプトし、アイドルであることを発見すると、第１プリエンプションユニット１４１は、前記許可されないキャリアリソースを使用するサイトが前記許可されないキャリアリソースの使用を終了することを確定する。
【０２８３】
ここで、実際に応用する際に、前記第１プリエンプションユニット１４１は、前記許可されないキャリアリソースをリアルタイムに傍受する方式によって、前記許可されないキャリアリソースを使用するサイトが前記許可されないキャリアリソースの使用を終了するか否かを確定する際に、第１プリエンプションユニット１４１は、具体的に、
前記許可されないキャリアリソースがアイドルであるか否かをリアルタイムに傍受し、アイドルであることを発見する際に、競争時間ウィンドウ内のロールバック操作によって、前記許可されないキャリアリソースの使用権をプリエンプトすることに用いられる。
【０２８４】
前記競争時間ウィンドウ内のロールバック操作によって、前記許可されないキャリアリソースの使用権をプリエンプトすることは、具体的に、
第１プリエンプションユニット１４１は、指定された競争時間ウィンドウ内でロールバックの時点を確定し(ランダムロールバック値を選択する)、且つ確定したロールバック時点(前記ロールバック値が０に逓減する)の前に、前記競争時間ウィンドウ内で前記許可されないキャリアリソースをインターセプトすること、及び
前記確定したロールバック時点に到達し(前記ロールバック値が０に逓減する)、且つ前記競争時間ウィンドウ内で前記許可されないキャリアリソースがアイドルであることをインターセプトした際に、第１プリエンプションユニット１４１は、前記確定したロールバック時点で、前記許可されないキャリアリソースを使用してチャンネル占用信号を送信し始め、この時、前記許可されないキャリアリソースをプリエンプトする必要があるサイトが、前記許可されないキャリアリソースをプリエンプトしたことを表すことを含む。
【０２８５】
前記確定したロールバック時点に到達し、且つ前記競争時間ウィンドウ内で前記許可されないキャリアリソースがアイドルであることをインターセプトした際に、前記第１プリエンプションユニット１４１が、前記許可されないキャリアリソースをプリエンプトしたことを表し、前記確定したロールバック時点に到達し、且つ前記許可されないキャリアリソースがビジーであることをインターセプトした際に、第１プリエンプションユニット１４１が、前記許可されないキャリアリソースのプリエンプションが失敗であることを表し、第１プリエンプションユニット１４１は、後続の操作を停止する。
【０２８６】
ここで、前記許可されないキャリアリソースがビジーであることをインターセプトしたこととは、第１プリエンプションユニット１４１が、前記許可されないキャリアリソースにおける信号を受信して、信号を解析することによって、前記許可されないキャリアの中でその他のサイトが送信した信号があることを知り、或いは、前記許可されないキャリアリソースにおける信号を受信して、エネルギー検出によって、前記許可されないキャリアリソースのエネルギーが所定のエネルギー閾値を超えることを確定することである。
【０２８７】
対応的に、前記許可されないキャリアリソースがアイドルであることをインターセプトしたこととは、第１プリエンプションユニット１４１が、前記許可されないキャリアリソースにおける信号を受信して、信号を解析することによって、前記許可されないキャリアの中でその他のサイトが送信する信号がないことを知り、或いは、前記許可されないキャリアリソースにおける信号を受信して、エネルギー検出によって、前記許可されないキャリアリソースのエネルギーが所定のエネルギー閾値を超えないことを確定することである。
【０２８８】
前記指定された競争時間ウィンドウ内でロールバックの時点を確定することは、具体的に、
第１プリエンプションユニット１４１は、前記競争時間ウィンドウをＮ部に分割して、且つ順次に０〜Ｎ−１に番号付け、
第１プリエンプションユニット１４１は、０〜Ｎ−１の間の数値Ｍをランダムに発生して、Ｍに対応する時点が確定したロールバック時点であることである。
【０２８９】
該サイトは、第１送信ユニットを更に含んでもよく、第１送信ユニットは、時間長さがＴ１のインターセプトを実行して、前記許可されないキャリアリソースがアイドルであることをインターセプトし、且つ次のサブフレームが来る前に、次のサブフレームの開始時刻まで、前記許可されないキャリアリソースを使用してチャンネル占用信号を送信するように設定される。
【０２９０】
第１インターセプトユニット１４２は、前記許可されないキャリアリソースに対して時間長さがＴ１のインターセプトを行い、且つインターセプト結果が、前記許可されないキャリアリソースがアイドルである際に、第１確定ユニット１４３は、前記許可されないキャリアリソースの使用権プリエンプションが成功であることを確定し、インターセプト結果が、前記許可されないキャリアリソースの一部又は全部がビジーである際に、第１確定ユニット１４３は、前記許可されないキャリアリソースの使用権プリエンプションが失敗であることを確定し、前記許可されないキャリアリソースでのチャンネル占用信号の送信を停止し、且つ前記許可されないキャリアリソースがその他のサイト(主システムを含む)によって使用されると認める。このような方式を採用して、ロールバック操作の競争時間ウィンドウとその他のサイトが許可されないキャリアへの使用の終了時間点との間は連続である。インターセプトの時間長さＴ１はロールバック操作の後に設定され、この時、前記許可されないキャリアリソースを競争して勝ち取ったサイトだけがインターセプトを実行し、インターセプトを実行するサイトの数を大幅に減少して、インターセプトに参加しないサイトは、許可されたキャリアリソースをよりよく使用してデータスケジューリングを行わせる。この時のインターセプトは主に、主システムが前記許可されないキャリアリソースを使用するか否かを発見することに用いられ、主システムは、優先度が比較的高いシステム、例えば軍用レーダーシステムである。
【０２９１】
該サイトは、第２送信ユニットを更に備え、第２送信ユニットは、前記許可されないキャリアリソースの使用権プリエンプションが成功であることを確定し、且つ次のサブフレームが開始してから、プリエンプトした前記許可されないキャリアリソースを使用してデータをスケジューリングするように設定される。
【０２９２】
第２送信ユニットが前記許可されないキャリアリソースを占用する時間開始点は、前記次のサブフレームの開始点である。
【０２９３】
第２送信ユニットは、前記許可されないキャリアリソースの使用権プリエンプションが成功であることを確定し、且つ次のサブフレームが開始してから、ＵＥデータをスケジューリングするように、プリエンプトした前記許可されないキャリアリソースを使用して制御シグナリングを送信し、或いは、前記許可されないキャリアリソースとペアになっている許可されたキャリアリソースを使用して、制御シグナリングを送信し、ＵＥデータをスケジューリングし、前記許可されないキャリアリソースに伝送する。
【０２９４】
前記許可されないキャリアリソースの使用権プリエンプションが成功であることを確定し、且つ次のサブフレームが開始してから、第２送信ユニットは、ＵＥデータをスケジューリングするように、プリエンプトした前記許可されないキャリアリソースを使用して制御シグナリングを送信することを許可する。これは、ＬＴＥシステムが、１つの同期システムであり、即ち、統一的な、サブフレームを揃える時間起点が必要であり、つまり、ＬＴＥシステムのスケジューリングは、サブフレームを単位とするため、前記許可されないキャリアリソースをプリエンプトする必要があるサイトは、前記許可されないキャリアのプリエンプションが成功し、且つ依然として次のサブフレームに到達しない際に、前記許可されないキャリアリソースをプリエンプトする必要があるサイトがＵＥデータをスケジューリングすることができないためである。しかし、前記許可されないキャリアリソースをプリエンプトする必要があるサイトは、いくつかの信号、例えば許可されないキャリアを占用する時間情報、チャンネルを占用するBEACON信号、及び様々な基準信号等を送信することができ、これらの信号を送信する作用は主に、その他のシステム(例えば、ＷＩＦＩシステム)が、前記許可されないキャリアリソースがビジーであることをインターセプトすることにより、これらのシステムは、前記許可されないキャリアリソースをプリエンプトする必要があるサイトによって、プリエンプトされた前記許可されないキャリアリソースを占用することを防止する。前記許可されないキャリアリソースをプリエンプトする必要があるサイトに、その他のシステムが存在しなく、例えばＬＴＥ-Ｕ(ＬＴＥが許可されないキャリアに運営することをＬＴＥ-Ｕと呼ぶ)システムだけがあると、前記許可されないキャリアリソースをプリエンプトする必要があるサイトは、前記許可されないキャリアリソースのプリエンプションが成功した後に、次のサブフレームの開始時刻までの時間帯内でチャンネル占用信号を送信しないことができる。これは、ＬＴＥ-Ｕシステムの間にこのような約束を採用することができるためであり、その他のサイトは、リソースプリエンプションが失敗であると認めると、次のサブフレーム時刻まで該周波数で示した許可されないリソースをプリエンプトしないが、前記許可されないキャリアリソースをプリエンプトする必要があるサイトは、送信した信号を受信することができる(前記許可されないキャリアリソースをプリエンプトする必要があるサイトが、チャンネル占用信号を送信すれば)。
【０２９５】
実際に応用する際に、第１プリエンプションユニット及び第１インターセプトユニットは、サイトにおける中央プロセッサ(ＣＰＵ、Central Processing Unit)、デジタル信号プロセッサ(ＤＳＰ、Digital Signal Processor)又はプログラマブルロジックアレー(ＦＰＧＡ、Field−Programmable Gate Array)がトランシーバーを結合することにより実現することができ、第１確定ユニットは、サイトにおけるＣＰＵ、ＤＳＰ又はＦＰＧＡにより実現することができ、第１送信ユニット及び第２送信ユニットは、サイトにおけるトランスミッタにより実現することができる。
【０２９６】
本実施例に記載のサイトは、基地局等であってもよく、許可されないキャリアを使用する機器を指す。
【０２９７】
本発明の実施例によるサイトは、許可されないキャリアリソースを使用するサイトが、前記許可されないキャリアリソースの使用を終了する際に、第１プリエンプションユニット１４１は、競争時間ウィンドウ内のロールバック操作によって、前記許可されないキャリアリソースの使用権をプリエンプトし、前記競争時間ウィンドウ内のロールバック操作が成功である際に、第１インターセプトユニット１４２は、時間長さがＴ１のインターセプトを実行し、前記許可されないキャリアリソースがアイドルであることをインターセプトした際に、第１確定ユニット１４３は、前記許可されないキャリアリソースの使用権プリエンプションが成功であることを確定する。本発明の実施例によるフレーム構造は、搬送波感知多重アクセスのフレーム構造であり、本発明の実施例による手段は、搬送波感知多重アクセスメカニズムの手段であり、本発明の実施例によるフレーム構造及び対応する手段を利用して、許可されないキャリアリソースを効率よくプリエンプトすることができる。
【０２９８】
本発明の実施例の手段は、ＬＴＥシステムの許可されないキャリアリソースへの競争をより有効にさせる。
【０２９９】
また、本発明の実施例の手段は、更にＷＩＦＩシステムに適用できる。
【０３００】
実施例二による方法を実現するために、本発明の実施例は、サイトを更に提供し、図１５に示すように、該サイトは、第２プリエンプションユニット１５１、及び第２確定ユニット１５２を備える。
【０３０１】
第２プリエンプションユニット１５１は、許可されないキャリアリソースの使用が終了することを確定した際に、競争時間ウィンドウ内のロールバック操作によって、前記許可されないキャリアリソースの使用権をプリエンプトするように設定される。
【０３０２】
前記第２確定ユニット１５２は、前記競争時間ウィンドウ内のロールバック操作が成功であり、且つロールバック操作過程において選択したロールバック時点と前記許可されないキャリアリソース使用終了時点との時間間隔がＴ２以上であることを確定した際に、前記許可されないキャリアリソースの使用権プリエンプションが成功であることを確定するように設定される。 
【０３０３】
第２プリエンプションユニット１５１は、前記許可されないキャリアリソースを使用するサイトが、前記許可されないキャリアリソースに対する使用状況を知り、且つ前記許可されないキャリアリソースを使用するサイトが、前記許可されないキャリアリソースの使用を終了する際に、第２プリエンプションユニット１５１は、競争時間ウィンドウ内のロールバック操作によって、前記許可されないキャリアリソースの使用権をプリエンプトする。第２プリエンプションユニット１５１は、受信した前記許可されないキャリアリソースを使用するサイトが送信したサイト時間情報に基づき、前記許可されないキャリアリソースを使用するサイトが前記許可されないキャリアリソースを使用する終了時間点を確定することができる。前記許可されないキャリアリソースをリアルタイムに傍受する方式を利用してもよく、例えば、第２プリエンプションユニット１５１は、前記許可されないキャリアリソースがアイドルであるか否かをリアルタイムにインターセプトし、アイドルであることを発見すると、第２プリエンプションユニット１５１は、前記許可されないキャリアリソースを使用するサイトが前記許可されないキャリアリソースの使用を終了することを確定する。
【０３０４】
ここで、実際に応用する際に、第２プリエンプションユニット１５１は、前記許可されないキャリアリソースをリアルタイムに傍受する方式によって、前記許可されないキャリアリソースを使用するサイトが前記許可されないキャリアリソースの使用を終了するか否かを確定する際に、第２プリエンプションユニット１５１は、具体的に、
前記許可されないキャリアリソースがアイドルであるか否かをリアルタイムに傍受し、アイドルであることを発見する際に、競争時間ウィンドウ内のロールバック操作によって、前記許可されないキャリアリソースの使用権をプリエンプトすることに用いられる。
【０３０５】
前記競争時間ウィンドウ内のロールバック操作によって、前記許可されないキャリアリソースの使用権をプリエンプトすることは、具体的に、
第２プリエンプションユニット１５１は、指定された競争時間ウィンドウ内でロールバックの時点を確定し(ランダムロールバック値を選択する)、且つ確定したロールバック時点(前記ロールバック値が０に逓減する)の前に、前記競争時間ウィンドウ内で前記許可されないキャリアリソースをインターセプトすること、及び
前記確定したロールバック時点に到達し(前記ロールバック値が０に逓減する)、且つ前記競争時間ウィンドウ内で前記許可されないキャリアリソースがアイドルであることをインターセプトした際に、前記確定したロールバック時点で、前記許可されないキャリアリソースを使用してチャンネル占用信号を送信し始め、この時、第２プリエンプションユニット１５１が、前記許可されないキャリアリソースをプリエンプトしたことを表すことを含む。
【０３０６】
前記確定したロールバック時点に到達し、且つ前記競争時間ウィンドウ内で前記許可されないキャリアリソースがアイドルであることをインターセプトした際に、第２プリエンプションユニット１５１が、前記許可されないキャリアリソースをプリエンプトしたことを表し、即ち、ロールバック操作が成功し、前記確定したロールバック時点に到達し、且つ前記許可されないキャリアリソースがビジーであることをインターセプトした際に、第２プリエンプションユニット１５１が、前記許可されないキャリアリソースのプリエンプションが失敗であることを表し、即ちロールバック操作が失敗し、後続の操作を停止する。
【０３０７】
ここで、前記許可されないキャリアリソースがビジーであることをインターセプトしたこととは、第２プリエンプションユニット１５１が、前記許可されないキャリアリソースにおける信号を受信して、信号を解析することによって、前記許可されないキャリアの中でその他のサイトが送信した信号があることを知り、或いは、前記許可されないキャリアリソースにおける信号を受信して、エネルギー検出によって、前記許可されないキャリアリソースのエネルギーが所定のエネルギー閾値を超えることを確定することである。
【０３０８】
対応的に、前記許可されないキャリアリソースがアイドルであることをインターセプトしたこととは、第２プリエンプションユニット１５１が、前記許可されないキャリアリソースにおける信号を受信して、信号を解析することによって、前記許可されないキャリアの中でその他のサイトが送信する信号がないことを知り、或いは、前記許可されないキャリアリソースにおける信号を受信して、エネルギー検出によって、前記許可されないキャリアリソースのエネルギーが所定のエネルギー閾値を超えないことを確定することである。
【０３０９】
前記指定された競争時間ウィンドウ内でロールバックの時点を確定することは、具体的に、
第２プリエンプションユニット１５１は、前記競争時間ウィンドウをＮ部に分割して、且つ順次に０〜Ｎ−１に番号付け、
０〜Ｎ−１の間の数値Ｍをランダムに発生して、Ｍに対応する時点が確定したロールバック時点であることである。
【０３１０】
該サイトは、第２インターセプトユニット、及び第３送信ユニットを更に備えてもよく、
第２インターセプトユニットは、ロールバック操作過程において選択したロールバック時点と前記許可されないキャリアリソースの使用終了時点との時間間隔がＴ２よりも小さいことを確定した際に、時間長さがＴ２のインターセプトを実行するように設定され、
第３送信ユニットは、前記許可されないキャリアリソースがアイドルであることをインターセプトし、且つ次のサブフレームが来る前に、次のサブフレームの開始時刻まで、前記許可されないキャリアリソースを使用してチャンネル占用信号を送信するように設定される。
【０３１１】
一実施例において、第２インターセプトユニットは、ロールバック操作過程において選択したロールバック時点と前記許可されないキャリアリソースの使用終了時点との時間間隔がＴ２よりも小さいことを確定した際に、時間長さがＴ２のインターセプトを実行するように設定され、
第２確定ユニット１５２は更に、前記許可されないキャリアリソースがアイドルであることをインターセプトした際に、前記許可されないキャリアリソースの使用権のプリエンプションが成功することを確認するように設定される。
【０３１２】
該サイトは、第４送信ユニットを更に備えてもよく、第４送信ユニットは、第２確定ユニット１５２が、ロールバック操作過程において選択したロールバック時点と前記許可されないキャリアリソースの使用終了時点との時間間隔がＴ２よりも小さいことを確定した際に、前記許可されないキャリアリソースの使用権のプリエンプションが成功した後に、次のサブフレームの開始時刻まで、前記許可されないキャリアリソースを使用して、チャンネル占用信号を送信するように設定される。
【０３１３】
ここで、前記許可されないキャリアリソースの使用終了時点とは、その他の前記許可されないキャリアリソースを使用するサイトが、前記許可されないキャリアリソースの使用を終了する際の時点を指す。
【０３１４】
一実施例において、ＬＴＥシステムにおいて、前記ロールバック操作過程において選択したロールバック時点と前記許可されないキャリアリソースの使用終了時点との時間間隔は、ロールバック操作過程において選択したロールバック時点と前の一つのサブフレームとの時間間隔であってもよい。
【０３１５】
前記競争時間ウィンドウ内のロールバック操作が成功した後に、第２確定ユニット１５２は、ロールバック操作過程において選択したロールバック時点と前記許可されないキャリアリソースの使用終了時点との時間間隔がＴ２以上であるか否かを確定し、Ｔ２以上であることを確定した際に、前記許可されないキャリアリソースの使用権のプリエンプションが成功であると認め、Ｔ２よりも小さいことを確定した際に、第２インターセプトユニット時間長さがＴ２のインターセプトを実行し、前記許可されないキャリアリソースがアイドルであることをインターセプトした際に、第２確定ユニット１５２は、前記許可されないキャリアリソースの使用権のプリエンプションが成功であると認め、前記許可されたキャリアリソースがビジーであることをインターセプトすると、第２確定ユニット１５２は、前記許可されないキャリアリソースの使用権のプリエンプションが失敗であると認め、前記許可されないキャリアリソースがアイドルであることをインターセプトし、且つ時間長さがＴ２のインターセプトを実行し終わった時間点が依然として次のサブフレームの開始時刻に到達しない際に、第３送信ユニットは、次のサブフレームの開始時刻まで、前記許可されないキャリアリソースを使用して、チャンネル占用信号を送信する。
【０３１６】
第２インターセプトユニットは、前記許可されないキャリアリソースに対して時間長さがＴ２のインターセプトを行い、且つインターセプト結果が、前記許可されないキャリアリソースがアイドルである際に、第２確定ユニット１５２は、前記許可されないキャリアリソースの使用権プリエンプションが成功であることを確定し、インターセプト結果が、前記許可されないキャリアリソースの一部又は全部がビジーである際に、第２確定ユニット１５２は、前記許可されないキャリアリソースの使用権プリエンプションが失敗であることを確定し、前記許可されないキャリアリソースでのチャンネル占用信号の送信を停止し、且つ前記許可されないキャリアリソースがその他のサイト(主システムを含む)によって使用されると認める。このような方式を採用して、ロールバック操作の競争時間ウィンドウとその他のサイトが許可されないキャリアへの使用の終了時間点との間は連続である。インターセプトの時間長さＴ２はロールバック操作の後に設定され、この時、前記許可されないキャリアリソースを競争して勝ち取ったサイトだけがインターセプトを実行し、インターセプトを実行するサイトの数を大幅に減少して、インターセプトに参加しないサイトは、許可されたキャリアリソースをよりよく使用してデータスケジューリングを行わせる。この時のインターセプトは主に、主システムが前記許可されないキャリアリソースを使用するか否かを発見することに用いられ、主システムは、優先度が比較的高いシステム、例えば軍用レーダーシステムである。
【０３１７】
該サイトは、第５送信ユニットを更に備えてもよく、第５送信ユニットは、前記許可されないキャリアリソースの使用権プリエンプションが成功であることを確定し、且つ次のサブフレームが開始してから、プリエンプトした前記許可されないキャリアリソースを使用してデータをスケジューリングするように設定される。
【０３１８】
第５送信ユニットが前記許可されないキャリアリソースを占用する時間開始点は、前記次のサブフレームの開始点である。
【０３１９】
第５送信ユニットは、前記許可されないキャリアリソースの使用権プリエンプションが成功であることを確定し、且つ次のサブフレームが開始してから、ＵＥデータをスケジューリングするように、プリエンプトした前記許可されないキャリアリソースを使用して制御シグナリングを送信し、或いは、前記許可されないキャリアリソースとペアになっている許可されたキャリアリソースを使用して、制御シグナリングを送信し、ＵＥデータをスケジューリングし、前記許可されないキャリアリソースに伝送する。
【０３２０】
前記許可されないキャリアリソースの使用権プリエンプションが成功であることを確定し、且つ次のサブフレームが開始してから、第５送信ユニットは、ＵＥデータをスケジューリングするように、プリエンプトした前記許可されないキャリアリソースを使用して制御シグナリングを送信することを許可する。これは、ＬＴＥシステムが、１つの同期システムであり、即ち、統一的な、サブフレームを揃える時間起点が必要であり、つまり、ＬＴＥシステムのスケジューリングは、サブフレームを単位とするため、前記許可されないキャリアリソースをプリエンプトする必要があるサイトは、前記許可されないキャリアのプリエンプションが成功し、且つ依然として次のサブフレームに到達しないと、前記許可されないキャリアリソースをプリエンプトする必要があるサイトがＵＥデータをスケジューリングすることができないためである。しかし、前記許可されないキャリアリソースをプリエンプトする必要があるサイトは、いくつかの信号、例えば許可されないキャリアを占用する時間情報、チャンネルを占用するbeacon信号、及び様々な基準信号等を送信することができ、これらの信号を送信する作用は主に、その他のシステム(例えば、ＷＩＦＩシステム)が、前記許可されないキャリアリソースがビジーであることをインターセプトすることにより、これらのシステムは、前記許可されないキャリアリソースをプリエンプトする必要があるサイトによって、プリエンプトされた前記許可されないキャリアリソースを占用することを防止する。前記許可されないキャリアリソースをプリエンプトする必要があるサイトに、その他のシステムが存在しなく、例えばＬＴＥ-Ｕ(ＬＴＥが許可されないキャリアに運営することをＬＴＥ-Ｕと呼ぶ)システムだけがあると、前記許可されないキャリアリソースをプリエンプトする必要があるサイトは、前記許可されないキャリアリソースのプリエンプションが成功した後に、次のサブフレームの開始時刻までの時間帯内でチャンネル占用信号を送信しないことができる。これは、ＬＴＥ-Ｕシステムの間にこのような約束を採用することができるためであり、その他のサイトは、リソースプリエンプションが失敗であると認めると、次のサブフレーム時刻まで該周波数で示した許可されないリソースをプリエンプトしないが、前記許可されないキャリアリソースをプリエンプトする必要があるサイトは、送信した信号を受信することができる(前記許可されないキャリアリソースをプリエンプトする必要があるサイトが、チャンネル占用信号を送信すれば)。
【０３２１】
本実施例に記載のサイトは、基地局等であってもよく、許可されないキャリアを使用する機器を指す。
【０３２２】
実際に応用する際に、第２プリエンプションユニット及び第２インターセプトユニットは、サイトにおけるＣＰＵ、ＤＳＰ又はＦＰＧＡがトランシーバーを結合することにより実現することができ、第２確定ユニットは、サイトにおけるＣＰＵ、ＤＳＰ又はＦＰＧＡにより実現することができ、第３送信ユニット、第４送信ユニット及び第５送信ユニットは、サイトにおけるトランスミッタにより実現することができる。
【０３２３】
本発明の実施例によるサイトは、許可されないキャリアリソースを使用するサイトが、前記許可されないキャリアリソースの使用を終了する際に、第２プリエンプションユニット１５１は、競争時間ウィンドウ内のロールバック操作によって、前記許可されないキャリアリソースの使用権をプリエンプトし、前記競争時間ウィンドウ内のロールバック操作が成功であり、且つロールバック操作過程において選択したロールバック時点と前記許可されないキャリアリソース使用終了時点との時間間隔がＴ２以上であることを確定した際に、第２確定ユニット１５２は、前記許可されないキャリアリソースの使用権プリエンプションが成功であることを確定する。本発明の実施例によるフレーム構造は、搬送波感知多重アクセスのフレーム構造であり、本発明の実施例による手段は、搬送波感知多重アクセスメカニズムの手段であり、本発明の実施例によるフレーム構造及び対応する手段を利用して、許可されないキャリアリソースを効率よくプリエンプトすることができる。  
【０３２４】
本発明の実施例の手段は、ＬＴＥシステムの許可されないキャリアリソースへの競争をより有効にさせる。
【０３２５】
また、本発明の実施例の手段は、更にＷＩＦＩシステムに適用できる。
【０３２６】
実施三による方法を実現するために、本発明の実施例は、サイトを更に提供し、図１６に示すように、該サイトは、第３プリエンプションユニット１６１、及び第３確定ユニット１６２を備える。
【０３２７】
前記第３プリエンプションユニット１６１は、許可されないキャリアリソースの使用が終了することを確定した際に、競争時間ウィンドウ内のロールバック操作によって、前記許可されないキャリアリソースの使用権をプリエンプトするように設定される。
【０３２８】
前記第３確定ユニット１６２は、前記競争時間ウィンドウ内のロールバック操作によって、前記許可されないキャリアリソースの使用権をプリエンプトする過程において、選択したロールバック時点と前記許可されないキャリアリソース使用終了との時間間隔がＴ３以上であることを確定した際に、前記第３プリエンプションユニットをトリガーし、ロールバック操作を続いて実行して、前記許可されないキャリアリソースの使用権をプリエンプトするように設定される。
【０３２９】
ここで、第３プリエンプションユニット１６１は、許可されないキャリアリソースを使用するサイトが、前記許可されないキャリアリソースに対する使用状況を知り、且つ前記許可されないキャリアリソースを使用するサイトが、前記許可されないキャリアリソースの使用を終了する際に、第３プリエンプションユニット１６１は、競争時間ウィンドウ内のロールバック操作によって、前記許可されないキャリアリソースの使用権をプリエンプトする。第３プリエンプションユニット１６１は、受信した前記許可されないキャリアリソースを使用するサイトが送信したサイト時間情報に基づき、前記許可されないキャリアリソースを使用するサイトが前記許可されないキャリアリソースを使用する終了時間点を確定することができる。前記許可されないキャリアリソースをリアルタイムに傍受する方式を利用してもよく、例えば、第３プリエンプションユニット１６１は、前記許可されないキャリアリソースがアイドルであるか否かをリアルタイムにインターセプトし、アイドルであることを発見すると、第３プリエンプションユニット１６１は、前記許可されないキャリアリソースを使用するサイトが前記許可されないキャリアリソースの使用を終了することを確定する。
【０３３０】
実際に応用する際に、前記許可されないキャリアリソースをプリエンプトする必要があるサイトが、前記許可されないキャリアリソースをリアルタイムに傍受する方式によって、前記許可されないキャリアリソースを使用するサイトが前記許可されないキャリアリソースの使用を終了するか否かを確定する際に、第３プリエンプションユニット１６１は、具体的に、
前記許可されないキャリアリソースがアイドルであるか否かをリアルタイムに傍受し、アイドルであることを発見する際に、前記許可されないキャリアリソースをプリエンプトする必要があるサイトが、競争時間ウィンドウ内のロールバック操作によって、前記許可されないキャリアリソースの使用権をプリエンプトすることに用いられる。
【０３３１】
前記競争時間ウィンドウ内のロールバック操作によって、前記許可されないキャリアリソースの使用権をプリエンプトすることは、具体的に、
第３プリエンプションユニット１６１は、指定された競争時間ウィンドウ内でロールバックの時点を確定し(ランダムロールバック値を選択する)、且つ確定したロールバック時点(前記ロールバック値が０に逓減する)の前に、前記競争時間ウィンドウ内で前記許可されないキャリアリソースをインターセプトすること、及び
前記確定したロールバック時点に到達し(前記ロールバック値が０に逓減する)、且つ前記競争時間ウィンドウ内で前記許可されないキャリアリソースがアイドルであることをインターセプトした際に、前記確定したロールバック時点で、前記許可されないキャリアリソースを使用してチャンネル占用信号を送信し始め、この時、第３プリエンプションユニット１６１が、前記許可されないキャリアリソースをプリエンプトしたことを表すことを含む。
【０３３２】
前記確定したロールバック時点に到達し、且つ前記競争時間ウィンドウ内で前記許可されないキャリアリソースがアイドルであることをインターセプトした際に、第３プリエンプションユニット１６１が、前記許可されないキャリアリソースをプリエンプトしたことを表し、前記確定したロールバック時点に到達し、且つ前記許可されないキャリアリソースがビジーであることをインターセプトした際に、第３プリエンプションユニット１６１が、前記許可されないキャリアリソースのプリエンプションが失敗であることを表し、後続の操作を停止する。
【０３３３】
ここで、前記許可されないキャリアリソースがビジーであることをインターセプトしたこととは、第３プリエンプションユニット１６１が、前記許可されないキャリアリソースにおける信号を受信して、信号を解析することによって、前記許可されないキャリアの中でその他のサイトが送信した信号があることを知り、或いは、前記許可されないキャリアリソースにおける信号を受信して、エネルギー検出によって、前記許可されないキャリアリソースのエネルギーが所定のエネルギー閾値を超えることを確定することである。
【０３３４】
対応的に、前記許可されないキャリアリソースがアイドルであることをインターセプトしたこととは、第３プリエンプションユニット１６１が、前記許可されないキャリアリソースにおける信号を受信して、信号を解析することによって、前記許可されないキャリアの中でその他のサイトが送信する信号がないことを知り、或いは、前記許可されないキャリアリソースにおける信号を受信して、エネルギー検出によって、前記許可されないキャリアリソースのエネルギーが所定のエネルギー閾値を超えないことを確定することである。
【０３３５】
前記指定された競争時間ウィンドウ内でロールバックの時点を確定することは、具体的に、 
第３プリエンプションユニット１６１は、前記競争時間ウィンドウをＮ部に分割して、且つ順次に０〜Ｎ−１に番号を付け、
０〜Ｎ−１の間の数値Ｍをランダムに発生して、Ｍに対応する時点が確定したロールバック時点であることである。
【０３３６】
前記確定したロールバック時点と前記競争時間ウィンドウの開始時刻との間隔がＴ３以上であることを確定した際に、第３確定ユニット１６２は、Ｔ３を前記選択したロールバック時点として、且つ第３プリエンプションユニット１６１をトリガーし、ロールバック操作を実行し続け、或いは、第３プリエンプションユニット１６１にロールバック操作を停止することを通知して、前記許可されないキャリアリソースをプリエンプトする使用権のプリエンプションが失敗であると認める。
【０３３７】
ロールバック操作が成功するとは、ランダムに発生したロールバック値が０に逓減することである。
【０３３８】
実際に応用する際に、前記確定したロールバック時点と前記許可されないキャリアリソース使用終了との時間間隔がＴ３よりも小さいことを確定した際に、前記許可されないキャリアリソースをプリエンプトする必要があるサイトを設定し、次回で許可されないキャリアリソースを競争して勝ち取る確率を大幅に向上させ、即ち、前記許可されないキャリアリソースをプリエンプトする必要があるサイトが許可されないキャリアリソースをプリエンプトする確率を、その他のサイトより高いように設定する。例えば、前記許可されないキャリアリソースをプリエンプトする必要があるサイトの次回で競争する競争時間ウィンドウを小さく設定することができ(ただし、時間長さＴ３よりも大きい)、更に設定によって、前記許可されないキャリアリソースをプリエンプトする必要があるサイトが選択するロールバック時点を、Ｔ３時刻の直後に隣接し、或いは、
前記許可されないキャリアリソースをプリエンプトする必要があるサイトが選択したロールバック時点を、Ｔ３時刻後の第１の時点に調整して、且つロールバック操作によって、前記許可されないキャリアリソースを改めプリエンプトする。
【０３３９】
該サイトは第６送信ユニットを更に備えてもよく、第６送信ユニットは、前記許可されないキャリアリソースの使用権プリエンプションが成功であることを確定し、且つ次のサブフレームが開始してから、プリエンプトした前記許可されないキャリアリソースを使用してデータをスケジューリングするように設定される。
【０３４０】
ここで、第６送信ユニットが前記許可されないキャリアリソースを占用する時間開始点は、前記次のサブフレームの開始点である。
【０３４１】
ロールバック操作によって、前記許可されないキャリアリソースの使用権のプリエンプションが成功した後に、且つ次のサブフレームが来る前に、第６送信ユニットは、次のサブフレームの開始時刻まで、前記許可されないキャリアリソースを使用して前記チャンネル占用信号を送信する。
【０３４２】
第６送信ユニットは、前記許可されないキャリアリソースの使用権プリエンプションが成功であることを確定し、且つ次のサブフレームが開始してから、ＵＥデータをスケジューリングするように、プリエンプトした前記許可されないキャリアリソースを使用して制御シグナリングを送信し、或いは、前記許可されないキャリアリソースとペアになっている許可されたキャリアリソースを使用して、制御シグナリングを送信し、ＵＥデータをスケジューリングし、前記許可されないキャリアリソースに伝送する。
【０３４３】
前記許可されないキャリアリソースの使用権プリエンプションが成功であることを確定し、且つ次のサブフレームが開始してから、第６送信ユニットは、ＵＥデータをスケジューリングするように、プリエンプトした前記許可されないキャリアリソースを使用して制御シグナリングを送信することを許可する。これは、ＬＴＥシステムが、１つの同期システムであり、即ち、統一的な、サブフレームを揃える時間起点が必要であり、つまり、ＬＴＥシステムのスケジューリングは、サブフレームを単位とするため、前記許可されないキャリアリソースをプリエンプトする必要があるサイトは、前記許可されないキャリアへのプリエンプションが成功し、且つ依然として次のサブフレームに到達しない際に、前記許可されないキャリアリソースをプリエンプトする必要があるサイトがＵＥデータをスケジューリングすることができないためである。しかし、前記許可されないキャリアリソースをプリエンプトする必要があるサイトは、いくつかの信号、例えば許可されないキャリアを占用する時間情報、チャンネルを占用するbeacon信号、及び様々な基準信号等を送信することができ、これらの信号を送信する作用は主に、その他のシステム(例えば、ＷＩＦＩシステム)が、前記許可されないキャリアリソースがビジーであることをインターセプトすることにより、これらのシステムは、前記許可されないキャリアリソースをプリエンプトする必要があるサイトによって、プリエンプトされた前記許可されないキャリアリソースを占用することを防止する。前記許可されないキャリアリソースをプリエンプトする必要があるサイトに、その他のシステムが存在しなく、例えばＬＴＥ-Ｕ(ＬＴＥが許可されないキャリアに運営することをＬＴＥ-Ｕと呼ぶ)システムだけがあると、前記許可されないキャリアリソースをプリエンプトする必要があるサイトは、前記許可されないキャリアリソースのプリエンプションが成功した後に、次のサブフレームの開始時刻までの時間帯内でチャンネル占用信号を送信しないことができる。これは、ＬＴＥ-Ｕシステムの間にこのような約束を採用することができるためであり、その他のサイトは、リソースプリエンプションが失敗であると認めると、次のサブフレーム時刻まで該周波数で示した許可されないリソースをプリエンプトしないが、前記許可されないキャリアリソースをプリエンプトする必要があるサイトは、送信した信号を受信することができる(前記許可されないキャリアリソースをプリエンプトする必要があるサイトが、チャンネル占用信号を送信すれば)。
【０３４４】
本実施例に記載のサイトは、基地局等であってもよく、許可されないキャリアを使用する機器を指す。 
【０３４５】
実際に応用する際に、第３プリエンプションユニットは、サイトにおけるＣＰＵ、ＤＳＰ又はＦＰＧＡがトランシーバーを結合することにより実現することができ、第３確定ユニットは、サイトにおけるＣＰＵ、ＤＳＰ又はＦＰＧＡにより実現することができ、第６送信ユニットは、サイトにおけるトランスミッタにより実現することができる。
【０３４６】
本発明の実施例によるサイトは、許可されないキャリアリソースの使用が終了することを確定した際に、第３プリエンプションユニット１６１は、競争時間ウィンドウ内のロールバック操作によって、前記許可されないキャリアリソースの使用権をプリエンプトし、前記競争時間ウィンドウ内のロールバック操作によって、前記許可されないキャリアリソースの使用権をプリエンプトする過程において、第３確定ユニット１６２は、選択したロールバック時点と前記許可されないキャリアリソース使用終了との時間間隔がＴ３以上であることを確定した際に、ロールバック操作を実行して、前記許可されないキャリアリソースの使用権をプリエンプトするようにできる。、本発明の実施例によるフレーム構造は、搬送波感知多重アクセスのフレーム構造であり、本発明の実施例による手段は、搬送波感知多重アクセスメカニズムの手段であり、本発明の実施例によるフレーム構造及び対応する手段を利用して、許可されないキャリアリソースを効率よくプリエンプトすることができる。
【０３４７】
本発明の実施例の手段は、ＬＴＥシステムの許可されないキャリアリソースへの競争をより有効にさせる。
【０３４８】
また、本発明の実施例の手段は、更にＷＩＦＩシステムに適用できる。
【０３４９】
実施例四による方法を実現するために、本発明の実施例は、サイトを更に提供し、図１７に示すように、サイトは、第３インターセプトユニット１７１、第４プリエンプションユニット１７２、及び第７送信ユニット１７３を備える。
【０３５０】
第３インターセプトユニット１７１は、許可されないキャリアリソースの使用が終了することを確定した際に、前記許可されないキャリアリソースに対して時間長さがＴ４のインターセプトを実行するように設定される。
【０３５１】
第４プリエンプションユニット１７２は、前記許可されないキャリアリソースがアイドルであることをインターセプトした際に、競争時間ウィンドウ内のロールバック操作によって、前記許可されないキャリアリソースの使用権をプリエンプトするように設定される。
【０３５２】
第７送信ユニット１７３は、前記競争時間ウィンドウ内で前記許可されないキャリアリソースの使用権をプリエンプトすることに成功した際に、前記許可されないキャリアリソースを使用してチャンネル占用信号を送信するように設定される。
【０３５３】
第３インターセプトユニット１７１は、前記許可されないキャリアリソースを使用するサイトが、前記許可されないキャリアリソースに対する使用状況を知り、且つ前記許可されないキャリアリソースを使用するサイトが、前記許可されないキャリアリソースの使用を終了する際に、前記許可されないキャリアリソースに対して時間長さがＴ４のインターセプトを実行する。
【０３５４】
第３インターセプトユニット１７１は、受信した前記許可されないキャリアリソースを使用するサイトが送信したサイト時間情報に基づき、前記許可されないキャリアリソースを使用するサイトが前記許可されないキャリアリソースを使用する終了時間点を確定することができる。前記許可されないキャリアリソースをリアルタイムに傍受する方式を利用してもよく、例えば、第３インターセプトユニット１７１は、前記許可されないキャリアリソースがアイドルであるか否かをリアルタイムにインターセプトし、アイドルであることを発見すると、第３インターセプトユニット１７１は、前記許可されないキャリアリソースを使用するサイトが、前記許可されないキャリアリソースの使用を終了することを確定する。
【０３５５】
ここで、実際に応用する際に、前記許可されないキャリアリソースをプリエンプトする必要があるサイトが、前記許可されないキャリアリソースをリアルタイムに傍受する方式によって、前記許可されないキャリアリソースを使用するサイトが前記許可されないキャリアリソースの使用を終了するか否かを確定する際に、第３インターセプトユニット１７１は、具体的に、
前記許可されないキャリアリソースがアイドルであるか否かをリアルタイムに傍受し、アイドルであることを発見する際に、前記許可されないキャリアリソースをプリエンプトする必要があるサイトが、前記許可されないキャリアリソースに対して時間長さがＴ４のインターセプトを実行することに用いられることができる。
【０３５６】
前記競争時間ウィンドウ内のロールバック操作によって前記許可されないキャリアリソースの使用権をプリエンプトすることは、具体的に、
第４プリエンプションユニット１７２が、指定された競争時間ウィンドウ内でロールバックの時点を確定し(ランダムロールバック値を選択する)、且つ確定したロールバック時点(前記ロールバック値が０に逓減する)の前に、前記競争時間ウィンドウ内で前記許可されないキャリアリソースをインターセプトすること、及び
前記確定したロールバック時点に到達し(前記ロールバック値が０に逓減する)、且つ前記競争時間ウィンドウ内で前記許可されないキャリアリソースがアイドルであることをインターセプトした際に、前記確定したロールバック時点で前記許可されないキャリアリソースを使用してチャンネル占用信号を送信し始め、この時、第４プリエンプションユニット１７２が前記許可されないキャリアリソースをプリエンプトしたことを表すことを含む。
【０３５７】
前記確定したロールバック時点に到達し、且つ前記競争時間ウィンドウ内で前記許可されないキャリアリソースがアイドルであることをインターセプトした際に、第４プリエンプションユニット１７２が、前記許可されないキャリアリソースをプリエンプトしたことを表し、前記確定したロールバック時点に到達し、且つ前記許可されないキャリアリソースがビジーであることをインターセプトした際に、第４プリエンプションユニット１７２が、前記許可されないキャリアリソースのプリエンプションが失敗であることを表し、後続の操作を停止する。
【０３５８】
ここで、前記許可されないキャリアリソースがビジーであることをインターセプトしたこととは、第４プリエンプションユニット１７２が、前記許可されないキャリアリソースにおける信号を受信して、信号を解析することによって、前記許可されないキャリアの中でその他のサイトが送信した信号があることを知り、或いは、前記許可されないキャリアリソースにおける信号を受信して、エネルギー検出によって、前記許可されないキャリアリソースのエネルギーが所定のエネルギー閾値を超えることを確定することである。
【０３５９】
対応的に、前記許可されないキャリアリソースがアイドルであることをインターセプトしたこととは、第４プリエンプションユニット１７２が、前記許可されないキャリアリソースにおける信号を受信して、信号を解析することによって、前記許可されないキャリアの中でその他のサイトが送信する信号がないことを知り、或いは、前記許可されないキャリアリソースにおける信号を受信して、エネルギー検出によって、前記許可されないキャリアリソースのエネルギーが所定のエネルギー閾値を超えないことを確定することである。
【０３６０】
前記指定された競争時間ウィンドウ内でロールバックの時点を確定することは、具体的に、
第４プリエンプションユニット１７２は、前記競争時間ウィンドウをＮ部に分割して、且つ順次に０〜Ｎ−１に番号付け、
０〜Ｎ−１の間の数値Ｍをランダムに発生して、Ｍに対応する時点が確定したロールバック時点であることである。
【０３６１】
該サイトは、第８送信ユニットを更に備えてもよく、前記許可されないキャリアリソースの使用権プリエンプションが成功であることを確定し、且つ次のサブフレームが開始してから、プリエンプトした前記許可されないキャリアリソースを使用してデータをスケジューリングするように設定される。
【０３６２】
ここで、第８送信ユニットが前記許可されないキャリアリソースを占用する時間開始点は、前記次のサブフレームの開始点である。つまり、第７送信ユニット１７３は、次のサブフレームの開始時刻まで、前記許可されないキャリアリソースを使用してチャンネル占用信号を送信する。
【０３６３】
第８送信ユニットは、前記許可されないキャリアリソースの使用権プリエンプションが成功であると確定し、且つ次のサブフレームが開始してから、ＵＥデータをスケジューリングするように、プリエンプトした前記許可されないキャリアリソースを使用して制御シグナリングを送信し、或いは前記許可されないキャリアリソースとペアになっている許可されたキャリアリソースを使用して、制御シグナリングを送信し、ＵＥデータをスケジューリングし、前記許可されないキャリアリソースに伝送する。
【０３６４】
前記許可されないキャリアリソースの使用権プリエンプションが成功であることを確定し、且つ次のサブフレームが開始してから、第８送信ユニットは、ＵＥデータをスケジューリングするように、プリエンプトした前記許可されないキャリアリソースを使用して、制御シグナリングを送信することを許可する。これは、ＬＴＥシステムが、１つの同期システムであり、即ち、統一的な、サブフレームを揃える時間起点が必要であり、つまり、ＬＴＥシステムのスケジューリングは、サブフレームを単位とするため、前記許可されないキャリアリソースをプリエンプトする必要があるサイトは、前記許可されないキャリアのプリエンプションが成功し、且つ依然として次のサブフレームに到達しない際に、前記許可されないキャリアリソースをプリエンプトする必要があるサイトがＵＥデータをスケジューリングすることができないためである。しかし、前記許可されないキャリアリソースをプリエンプトする必要があるサイトは、いくつかの信号、例えば許可されないキャリアを占用する時間情報、チャンネルを占用するbeacon信号、及び様々な基準信号等を送信することができ、これらの信号を送信する作用は主に、その他のシステム(例えば、ＷＩＦＩシステム)が、前記許可されないキャリアリソースがビジーであることをインターセプトすることにより、これらのシステムは、前記許可されないキャリアリソースをプリエンプトする必要があるサイトによって、プリエンプトされた前記許可されないキャリアリソースを占用することを防止する。前記許可されないキャリアリソースをプリエンプトする必要があるサイトに、その他のシステムが存在しなく、例えばＬＴＥ-Ｕ(ＬＴＥが許可されないキャリアに運営することをＬＴＥ-Ｕと呼ぶ)システムだけがあると、前記許可されないキャリアリソースをプリエンプトする必要があるサイトは、前記許可されないキャリアリソースのプリエンプションが成功した後に、次のサブフレームの開始時刻までの時間帯内でチャンネル占用信号を送信しないことができる。これは、ＬＴＥ-Ｕシステムの間にこのような約束を採用することができるためであり、その他のサイトは、リソースプリエンプションが失敗であると認めると、次のサブフレーム時刻まで該周波数で示した許可されないリソースをプリエンプトしないが、前記許可されないキャリアリソースをプリエンプトする必要があるサイトは、送信した信号を受信することができる(前記許可されない前記の前記許可されないキャリアリソースをプリエンプトする必要があるサイトが、チャンネル占用信号を送信すれば)。
【０３６５】
本実施例に記載のサイトは、基地局等であってもよく、許可されないキャリアを使用する機器を指す。
【０３６６】
実際に応用する際に、第３インターセプトユニット及び第４プリエンプションユニットは、サイトにおけるＣＰＵ、ＤＳＰ又はＦＰＧＡがトランシーバーを結合するにより実現することができ、第７送信ユニット及び第８送信ユニットは、サイトにおけるトランスミッタにより実現することができる。
【０３６７】
本発明の実施例によるリソースプリエンプションの手段は、許可されないキャリアリソースの使用が終了することを確定した際に、第３インターセプトユニット１７１は、前記許可されないキャリアリソースに対して時間長さがＴ４のインターセプトを実行し、前記許可されないキャリアリソースがアイドルであることをインターセプトした際に、第４プリエンプションユニット１７２は、競争時間ウィンドウ内のロールバック操作によって、前記許可されないキャリアリソースの使用権をプリエンプトし、前記競争時間ウィンドウの時間が終了し且つ前記許可されないキャリアリソースの使用権のプリエンプションが成功であることを確定した際に、第７送信ユニットは、次のサブフレームの開始時刻まで、前記許可されないキャリアリソースを使用してチャンネル占用信号を送信する。本発明の実施例によるフレーム構造は、搬送波感知多重アクセスのフレーム構造であり、本発明の実施例による手段は、搬送波感知多重アクセスメカニズムの手段であり、本発明の実施例によるフレーム構造及び対応する手段を利用して、許可されないキャリアリソースを効率よくプリエンプトすることができる。
【０３６８】
本発明の実施例の手段は、ＬＴＥシステムの許可されないキャリアリソースへの競争をより有効にさせる。
【０３６９】
また、本発明の実施例の手段は、更にＷＩＦＩシステムに適用できる。
【０３７０】
実施例五による方法を実現するために、本発明の実施例は、サイトを更に提供し、図１８に示すように、該サイトは、第４確定ユニット１８１、及び第５プリエンプションユニット１８２を備える。
【０３７１】
第４確定ユニット１８１は、許可されないキャリアリソースの使用が終了することを確定し、且つ前記許可されないキャリアリソースの使用が終了することを確定した際に、前記第５プリエンプションユニット１８２をトリガーするように設定される。
【０３７２】
第５プリエンプションユニット１８２は、前記第４確定ユニットのトリガーを受信した後に、直接、競争時間ウィンドウ内のロールバック操作によって、前記許可されないキャリアリソースの使用権をプリエンプトするように設定される。
【０３７３】
言い換えると、第４確定ユニット１８１は、前記許可されないキャリアリソースを使用するサイトが前記許可されないキャリアリソースについての使用状況を知り、且つ前記許可されないキャリアリソースを使用するサイトは、前記許可されないキャリアリソースの使用を終了する際に、第５プリエンプションユニット１８２のみをトリガーし、競争時間ウィンドウ内のロールバック操作によって、前記許可されないキャリアリソースの使用権をプリエンプトする。第４確定ユニット１８１は、受信した前記許可されないキャリアリソースを使用するサイトが送信したサイト時間情報に基づき、前記許可されないキャリアリソースを使用するサイトが前記許可されないキャリアリソースを使用する終了時間点を確定することができる。前記許可されないキャリアリソースをリアルタイムに傍受する方式を利用してもよく、例えば、第４確定ユニット１８１は、前記許可されないキャリアリソースがアイドルであるか否かをリアルタイムにインターセプトし、アイドルであることを発見すると、第４確定ユニット１８１は、前記許可されないキャリアリソースを使用するサイトが前記許可されないキャリアリソースの使用を終了することを確定する。
【０３７４】
実際に応用する際に、第４確定ユニット１８１は、前記許可されないキャリアリソースをリアルタイムに傍受する方式によって、前記許可されないキャリアリソースを使用するサイトが前記許可されないキャリアリソースの使用を終了するか否かを確定する際に、第４確定ユニット１８１は、具体的に、
前記許可されないキャリアリソースがアイドルであるか否かをリアルタイムに傍受し、アイドルであることを発見する際に、前記第５プリエンプションユニット１８２をトリガーし、直接、競争時間ウィンドウ内のロールバック操作によって、前記許可されないキャリアリソースの使用権をプリエンプトすることに用いられる。
【０３７５】
つまり、前記第４確定ユニット１８１は、許可されないキャリアリソースに対して時間長さがＴ５のインターセプトを実行し、前記許可されないキャリアリソースがアイドルであることをインターセプトした際に、前記第５プリエンプションユニット１８２をトリガーし、直接、競争時間ウィンドウ内のロールバック操作によって、前記許可されないキャリアリソースの使用権をプリエンプトする。
【０３７６】
前記競争時間ウィンドウ内のロールバック操作によって、前記許可されないキャリアリソースの使用権をプリエンプトすることは、具体的に、
第５プリエンプションユニット１８２は、指定された競争時間ウィンドウ内でロールバックの時点を確定し(ランダムロールバック値を選択する)、且つ確定したロールバック時点(前記ロールバック値が０に逓減する)の前に、前記競争時間ウィンドウ内で前記許可されないキャリアリソースをインターセプトすること、及び
前記確定したロールバック時点に到達し(前記ロールバック値が０に逓減する)、且つ前記競争時間ウィンドウ内で前記許可されないキャリアリソースがアイドルであることをインターセプトした際に、前記確定したロールバック時点で、前記許可されないキャリアリソースを使用してチャンネル占用信号を送信し始め、この時、第５プリエンプションユニット１８２が前記許可されないキャリアリソースをプリエンプトしたことを表すことを含む。
【０３７７】
前記確定したロールバック時点に到達し、且つ前記競争時間ウィンドウ内で前記許可されないキャリアリソースがアイドルであることをインターセプトした際に、第５プリエンプションユニット１８２が前記許可されないキャリアリソースをプリエンプトしたことを表し、前記確定したロールバック時点に到達し、且つ前記許可されないキャリアリソースがビジーであることをインターセプトした際に、第５プリエンプションユニット１８２が前記許可されないキャリアリソースのプリエンプションが失敗であることを表し、後続の操作を停止する。
【０３７８】
ここで、前記許可されないキャリアリソースがビジーであることをインターセプトしたこととは、第５プリエンプションユニット１８２ が、前記許可されないキャリアリソースにおける信号を受信して、信号を解析することによって、前記許可されないキャリアの中でその他のサイトが送信した信号があることを知り、或いは、前記許可されないキャリアリソースにおける信号を受信して、エネルギー検出によって、前記許可されないキャリアリソースのエネルギーが所定のエネルギー閾値を超えることを確定することである。
【０３７９】
対応的に、前記許可されないキャリアリソースがアイドルであることをインターセプトしたこととは、第５プリエンプションユニット１８２が、前記許可されないキャリアリソースにおける信号を受信して、信号を解析することによって、前記許可されないキャリアの中でその他のサイトが送信する信号がないことを知り、或いは、前記許可されないキャリアリソースにおける信号を受信して、エネルギー検出によって、前記許可されないキャリアリソースのエネルギーが所定のエネルギー閾値を超えないことを確定することである。
【０３８０】
前記指定された競争時間ウィンドウ内でロールバックの時点を確定することは、具体的に、
第５プリエンプションユニット１８２は、前記競争時間ウィンドウをＮ部に分割して、且つ順次に０〜Ｎ−１に番号付け、
０〜Ｎ−１の間の数値Ｍをランダムに発生して、Ｍに対応する時点が確定したロールバック時点であることである。
【０３８１】
該サイトは、第１０送信ユニットを更に備えてもよく、前記許可されないキャリアリソースの使用権プリエンプションが成功であることを確定し、且つ次のサブフレームが来る前に、次のサブフレームの開始時刻まで、前記許可されないキャリアリソースを使用してチャンネル占用信号を送信するように設定される。
【０３８２】
該サイトは、第９送信ユニットを更に備えていてもよく、前記許可されないキャリアリソースの使用権プリエンプションが成功であることを確定し、且つ次のサブフレームが開始してから、プリエンプトした前記許可されないキャリアリソースを使用してデータをスケジューリングするように設定される。
【０３８３】
ここで、第９送信ユニットが前記許可されないキャリアリソースを占用する時間開始点は、前記次のサブフレームの開始点である。
【０３８４】
第９送信ユニットは、前記許可されないキャリアリソースの使用権プリエンプションが成功であることを確定し、且つ次のサブフレームが開始してから、ＵＥデータをスケジューリングするように、プリエンプトした前記許可されないキャリアリソースを使用して制御シグナリングを送信し、或いは、前記許可されないキャリアリソースとペアになっている許可されたキャリアリソースを使用して、制御シグナリングを送信し、ＵＥデータをスケジューリングし、前記許可されないキャリアリソースに伝送する。
【０３８５】
前記許可されないキャリアリソースの使用権プリエンプションが成功であることを確定し、且つ次のサブフレームが開始してから、第９送信ユニットは、ＵＥデータをスケジューリングするように、プリエンプトした前記許可されないキャリアリソースを使用して制御シグナリングを送信することを許可する。これは、ＬＴＥシステムが、１つの同期システムであり、即ち、統一的な、サブフレームを揃える時間起点が必要であり、つまり、ＬＴＥシステムのスケジューリングは、サブフレームを単位とするため、前記許可されないキャリアリソースをプリエンプトする必要があるサイトは、前記許可されないキャリアへのプリエンプションが成功し、且つ依然として次のサブフレームに到達しない際に、前記許可されないキャリアリソースをプリエンプトする必要があるサイトがＵＥデータをスケジューリングすることができないためである。しかし、前記許可されないキャリアリソースをプリエンプトする必要があるサイトは、いくつかの信号、例えば許可されないキャリアを占用する時間情報、チャンネルを占用するbeacon信号、及び様々な基準信号等を送信することができ、これらの信号を送信する作用は主に、その他のシステム(例えば、ＷＩＦＩシステム)が、前記許可されないキャリアリソースがビジーであることをインターセプトしたことにより、これらのシステムは、前記許可されないキャリアリソースをプリエンプトする必要があるサイトによって、プリエンプトされた前記許可されないキャリアリソースを占用することを防止する。前記許可されないキャリアリソースをプリエンプトする必要があるサイトに、その他のシステムが存在しなく、例えばＬＴＥ-Ｕ(ＬＴＥが許可されないキャリアに運営することをＬＴＥ-Ｕと呼ぶ)システムだけがあると、前記許可されないキャリアリソースをプリエンプトする必要があるサイトは、前記許可されないキャリアリソースのプリエンプションが成功した後に、次のサブフレームの開始時刻までの時間帯内でチャンネル占用信号を送信しないことができる。これは、ＬＴＥ-Ｕシステムの間にこのような約束を採用することができるためであり、その他のサイトは、リソースプリエンプションが失敗であると認めると、次のサブフレーム時刻まで該周波数で示した許可されないリソースをプリエンプトしないが、前記許可されないキャリアリソースをプリエンプトする必要があるサイトは、送信した信号を受信することができる(前記許可されないキャリアリソースをプリエンプトする必要があるサイトが、チャンネル占用信号を送信すれば)。
【０３８６】
本実施例に記載のサイトは、基地局等であってもよく、許可されないキャリアを使用する機器を指す。
【０３８７】
実際に応用する際に、第５プリエンプションユニットは、サイトにおけるＣＰＵ、ＤＳＰ又はＦＰＧＡがトランシーバーを結合することにより実現することができ、第４確定ユニットは、サイトにおけるＣＰＵ、ＤＳＰ又はＦＰＧＡにより実現することができ、第９送信ユニット及び第１０送信ユニットは、サイトにおけるトランスミッタにより実現することができる。
【０３８８】
本発明の実施例によるリソースプリエンプションの手段は、許可されないキャリアリソースの使用が終了することを確定した際に、直接、競争時間ウィンドウ内のロールバック操作によって、前記許可されないキャリアリソースの使用権をプリエンプトする。本発明の実施例によるフレーム構造は、搬送波感知多重アクセスのフレーム構造であり、本発明の実施例による手段は、搬送波感知多重アクセスメカニズムの手段であり、本発明の実施例によるフレーム構造及び対応する手段を利用して、許可されないキャリアリソースを効率よくプリエンプトすることができる。
【０３８９】
本発明の実施例の手段は、ＬＴＥシステムの許可されないキャリアリソースへの競争をより有効にさせる。
【０３９０】
また、本発明の実施例の手段は、更にＷＩＦＩシステムに適用できる。本発明の実施例の手段は、衝突しない場合には併せて使用することができる。例えば、図９の方式と図１３の方式とを結合することができ、図９の方式は、前回で許可されないキャリアリソースの使用を終了するサイトによって使用され、図１３の方式は、前記許可されないキャリアリソースをプリエンプトしようとするサイトによって使用される。
【０３９１】
当業者は、本発明の実施例は、方法、システム、又はコンピュータプログラム製品として提供されることができることを理解できる。したがって、本発明は、ハードウェア実施例、ソフトウェア実施例、又はソフトウェアとハードウェアを組み合わせる実施例の形式を採用することができる。且つ、本発明は、コンピュータ使用可能なプログラムコードを含む、一つ又は複数のコンピュータ使用可能な記憶媒体（磁気ディスク記憶装置や光学式記憶装置等を含むが、これらに制限されない）により実施するコンピュータプログラム製品の形式を採用することができる。
【０３９２】
本発明は、本発明の実施例による方法、デバイス（システム）、及びコンピュータプログラム製品のフローチャート及び/又はブロック図を参照して、説明したものである。コンピュータプログラム命令により、フローチャート及び/又はブロック図における各プロセス及び/又はブロック、及びフローチャート及び/又はブロック図におけるプロセス及び/又はブロックの組み合わせを実現することができることを理解すべきである。これらのコンピュータプログラム命令を、汎用コンピュータ、専用コンピュータ、組み込みプロセッサ又はその他のプログラム可能なデータ処理デバイスのプロセッサに提供して１つの機器を生産し、コンピュータ又はその他のプログラム可能なデータ処理デバイスのプロセッサにより実行する命令によって、フローチャートの１つのプロセス又は複数のプロセス、及び/又はブロック図の１つのブロック又は複数のブロックに指定された機能を実現するための装置を生成する。
【０３９３】
これらのコンピュータプログラム命令も、コンピュータ又はその他のプログラム可能なデータ処理デバイスが特定の方式で動作するようにガイドするコンピュータ読み出し可能なメモリに記憶されることもでき、該コンピュータ読み出し可能なメモリに記憶される命令は、命令装置を含む製造品を生成させ、該命令装置は、フローチャートの１つのプロセス又は複数のプロセス、及び/又はブロック図の１つのブロック又は複数のブロックに指定された機能を実現する。
【０３９４】
これらのコンピュータプログラム命令は、コンピュータ又はその他のプログラム可能なデータ処理デバイスにロードされることもでき、コンピュータ又はその他のプログラム可能なデバイスに一連の操作ステップを実行させてコンピュータが実現する処理を生成し、それによりコンピュータ又はその他のプログラム可能なデバイスで実行する命令は、フローチャートの１つのプロセス又は複数のプロセス、及び/又はブロック図の１つのブロック又は複数のブロックに指定された機能を実現するためのステップを提供する。
【０３９５】
これに基づいて、本発明の実施例は、コンピュータ記憶媒体を更に提供し、前記コンピュータ記憶媒体は一連の命令を含み、前記指令を実行する際に、少なくとも１つのプロセッサが上記のリソースプリエンプションの方法を実行することを引き起こす。
【０３９６】
以上説明したのは、本発明の好ましい実施例だけであり、本発明の保護範囲を制限するためのものではない。
【図１】
0006438109.tif 000002
【図２】
0006438109.tif 000003
【図３】
0006438109.tif 000004
【図４】
0006438109.tif 000005
【図５】
0006438109.tif 000006
【図６】
0006438109.tif 000007
【図７】
0006438109.tif 000008
【図８】
0006438109.tif 000009
【図９】
0006438109.tif 000010
【図１０】
0006438109.tif 000011
【図１１】
0006438109.tif 000012
【図１２】
0006438109.tif 000013
【図１３】
0006438109.tif 000014
【図１４】
0006438109.tif 000015
【図１５】
0006438109.tif 000016
【図１６】
0006438109.tif 000017
【図１７】
0006438109.tif 000018
【図１８】
0006438109.tif 000019